(57)【要約】  ワイヤレス通信のための方法、システム、およびデバイスが説明される。ワイヤレスデバイスは、サブフレーム内で、１つまたは複数のアップリンク領域、１つまたは複数のダウンリンク領域、およびガード領域のような、複数の領域を識別し得る。ワイヤレスデバイスは、各領域の間、ダウンリンク領域とアップリンク領域との間のタイミング関係に基づいて、識別および通信し得る。例えば、デバイスは、同じサブフレームにおける１つのダウンリンク領域に関して、ハイブリッド自動再送要求（ＨＡＲＱ）フィードバックを、次のアップリンク領域への近接に基づいて、期待し得る。別のダウンリンク領域は、同じサブフレームにおいてＨＡＲＱフィードバックを有さない可能性がある。同様に、アップリンク領域は、同じサブフレーム内で、スケジューリングされ得るか、またはされない可能性がある。
2018530217.tif 000002
【特許請求の範囲】
【請求項１】
ワイヤレス通信の方法であって、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信することと
を備える、方法。
【請求項２】
前記サブフレームの前記追加的な領域を識別すること、ここにおいて、前記追加的な領域は、追加的なＤＬ領域または追加的なＵＬ領域を備え、
をさらに備える、請求項１に記載の方法。
【請求項３】
前記追加的な領域のリソース上での送信は、前記ＤＬ領域または前記ＵＬ領域と前記追加的な領域との間のタイミング関係に、少なくとも部分的に基づく、請求項２に記載の方法。
【請求項４】
前記ＤＬ領域の間、ＤＬ制御メッセージを受信すること
をさらに備える、請求項１に記載の方法。
【請求項５】
前記ＤＬ領域の間、ＤＬデータを受信すること、ここにおいて、前記ＤＬ領域のリソースは、前記ＤＬ制御メッセージによってスケジューリングされ、
をさらに備える、請求項４に記載の方法。
【請求項６】
前記ＵＬ領域の間、ＵＬ制御メッセージを送信すること、ここにおいて、前記ＵＬ制御メッセージは、前記ＤＬ領域の間、受信された前記ＤＬデータについての肯定応答（ＡＣＫ）情報を備え、
をさらに備える、請求項５に記載の方法。
【請求項７】
前記追加的な領域の間、ＤＬデータを受信すること、ここにおいて、前記追加的な領域は、前記ＤＬ領域に続き、前記ＵＬ領域に先行し、前記追加的な領域は、前記ＤＬ制御メッセージによってスケジューリングされたリソースを備える追加的なＤＬ領域を備え、
をさらに備える、請求項４に記載の方法。
【請求項８】
後続のサブフレームの間、ＵＬ制御メッセージを送信すること、ここにおいて、前記ＵＬ制御メッセージは、前記追加的なＤＬ領域の間、受信された前記ＤＬデータについての肯定応答（ＡＣＫ）情報を備え、
をさらに備える、請求項７に記載の方法。
【請求項９】
前記ＵＬ領域の間、ＵＬデータまたはＵＬ制御メッセージ、あるいは両方を送信すること、ここにおいて、前記ＵＬ領域の前記リソースは、前記ＤＬ制御メッセージによってスケジューリングされ、
をさらに備える、請求項４に記載の方法。
【請求項１０】
前記追加的な領域の間、ＵＬデータまたはＵＬ制御メッセージ、あるいは両方を送信すること、ここにおいて、前記追加的な領域は、前記ＤＬ領域に続き、前記ＵＬ領域に先行し、前記追加的な領域は、先行するサブフレームにおける別のＤＬ制御メッセージによってスケジューリングされたリソースを備える追加的なＵＬ領域を備え、
をさらに備える、請求項４に記載の方法。
【請求項１１】
前記ＤＬ領域と前記ＵＬ領域との間の前記タイミング関係は、前記サブフレームの間、通信のためにスケジューリングされたユーザ機器（ＵＥ）、または前記サブフレームの間、通信をスケジューリングするサービングセル、あるいは両方、の性能に少なくとも部分的に基づく、請求項１に記載の方法。
【請求項１２】
前記ＤＬ領域と前記ＵＬ領域との間の前記タイミング関係は、システム情報（ＳＩ）ブロードキャスト、ラジオリソース制御（ＲＲＣ）シグナリング、またはＤＬ制御メッセージにおけるリソースのグラント、あるいはそれらの任意の組合せを使用して識別される、請求項１に記載の方法。
【請求項１３】
前記ＤＬ領域と前記ＵＬ領域との間の前記タイミング関係は、ＵＬ通信およびＤＬ通信に関して別々の領域を有するサブフレームに使用される最短時間持続時間を備え、前記ＤＬ領域の第１の持続時間および前記ＵＬ領域の第２の持続時間は、前記最短時間持続時間に少なくとも部分的に基づく、請求項１に記載の方法。
【請求項１４】
前記サブフレームの前記ガード領域を識別すること、ここにおいて、前記ＤＬ領域と前記ＵＬ領域との間の前記タイミング関係は、前記サブフレーム内の前記ガード領域のロケーションまたは前記ガード領域の持続時間、あるいは両方に少なくとも部分的に基づき、
をさらに備える、請求項１に記載の方法。
【請求項１５】
前記サブフレームの前記ガード領域の前記持続時間は、時分割複信（ＴＤＤ）構成されたキャリアの特別なサブフレームのガード期間とは異なり、前記ＴＤＤ構成されたキャリアは、前記サブフレームおよび前記特別なサブフレームを備える、請求項１４に記載の方法。
【請求項１６】
前記特別なサブフレームの前記ガード期間は、システム内のＵＥのセットにおける各ユーザ機器（ＵＥ）の共通の性能に従って構成され、前記サブフレームの前記ガード領域は、前記システム内のＵＥの前記セットのサブセットの異なる性能に従って構成される、請求項１５に記載の方法。
【請求項１７】
前記サブフレームに関する、ＤＬハイブリッド自動再送要求（ＨＡＲＱ）のタイミングまたはＵＬスケジューリングのタイミング、あるいは両方は、後続のサブフレームまたは先行するサブフレームに関するＤＬ  ＨＡＲＱのタイミングまたはＵＬスケジューリングのタイミングとは異なる、請求項１に記載の方法。
【請求項１８】
ワイヤレス通信のための装置であって、
サブフレームのダウンリンク（ＤＬ）領域を識別するための手段と、ここにおいて、前記サブフレームは、前記ＤＬ領域、アップリンク（ＵＬ）領域、ガード領域、および追加的な領域を備え、
前記サブフレームの前記ＵＬ領域を識別するための手段と、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信するための手段と
を備える、装置。
【請求項１９】
前記サブフレームの前記追加的な領域を識別するための手段、ここにおいて、前記追加的な領域は、追加的なＤＬ領域または追加的なＵＬ領域を備え、
をさらに備える、請求項１８に記載の装置。
【請求項２０】
前記ＤＬ領域の間、ＤＬ制御メッセージを受信するための手段
をさらに備える、請求項１８に記載の装置。
【請求項２１】
前記ＤＬ領域の間、ＤＬデータを受信するための手段、ここにおいて、前記ＤＬ領域のリソースは、前記ＤＬ制御メッセージによってスケジューリングされ、
をさらに備える、請求項２０に記載の装置。
【請求項２２】
前記ＵＬ領域の間、ＵＬ制御メッセージを送信するための手段、ここにおいて、前記ＵＬ制御メッセージは、前記ＤＬ領域の間、受信された前記ＤＬデータについての肯定応答（ＡＣＫ）情報を備え、
をさらに備える、請求項２１に記載の装置。
【請求項２３】
前記追加的な領域の間、ＤＬデータを受信するための手段、ここにおいて、前記追加的な領域は、前記ＤＬ領域に続き、前記ＵＬ領域に先行し、前記追加的な領域は、前記ＤＬ制御メッセージによってスケジューリングされたリソースを備える追加的なＤＬ領域を備え、
をさらに備える、請求項２０に記載の装置。
【請求項２４】
後続のサブフレームの間、ＵＬ制御メッセージを送信するための手段、ここにおいて、前記ＵＬ制御メッセージは、前記追加的なＤＬ領域の間、受信された前記ＤＬデータについての肯定応答（ＡＣＫ）情報を備え、
をさらに備える、請求項２３に記載の装置。
【請求項２５】
前記ＵＬ領域の間、ＵＬデータまたはＵＬ制御メッセージ、あるいは両方を送信するための手段、ここにおいて、前記ＵＬ領域の前記リソースは、前記ＤＬ制御メッセージによってスケジューリングされ、
をさらに備える、請求項２０に記載の装置。
【請求項２６】
前記追加的な領域の間、ＵＬデータまたはＵＬ制御メッセージ、あるいは両方を送信するための手段、ここにおいて、前記追加的な領域は、前記ＤＬ領域に続き、前記ＵＬ領域に先行し、前記追加的な領域は、先行するサブフレームにおける別のＤＬ制御メッセージによってスケジューリングされたリソースを備える追加的なＵＬ領域を備え、
をさらに備える、請求項２０に記載の装置。
【請求項２７】
前記ＤＬ領域と前記ＵＬ領域との間の前記タイミング関係は、前記サブフレームの間、通信のためにスケジューリングされたユーザ機器（ＵＥ）、または前記サブフレームの間、通信をスケジューリングするサービングセル、あるいは両方、の性能に少なくとも部分的に基づく、請求項１８に記載の装置。
【請求項２８】
前記サブフレームの前記ガード領域を識別するための手段、ここにおいて、前記ＤＬ領域と前記ＵＬ領域との間の前記タイミング関係は、前記サブフレーム内の前記ガード領域のロケーションまたは前記ガード領域の持続時間、あるいは両方に少なくとも部分的に基づき、
をさらに備える、請求項１８に記載の装置。
【請求項２９】
ワイヤレス通信のための装置であって、
プロセッサと、
前記プロセッサと電子通信状態にあるメモリと、
前記メモリに記憶され、および、前記プロセッサによって実行されると、前記装置に、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間、通信することと
を行わせるように動作可能な命令と
を備える、装置。
【請求項３０】
ワイヤレス通信のためのコードを記憶した非一時的コンピュータ読取り可能媒体であって、前記コードは、
サブフレームのダウンリンク（ＤＬ）領域を識別することと、ここにおいて、前記サブフレームは、前記ＤＬ領域、アップリンク（ＵＬ）領域、ガード領域、および追加的な領域を備え、
前記サブフレームの前記ＵＬ領域を識別することと、ここにおいて、前記ＵＬ領域のリソース上での送信は、前記ＤＬ領域と前記ＵＬ領域との間のタイミング関係に、少なくとも部分的に基づき、
前記タイミング関係に従って、前記ＤＬ領域および前記ＵＬ領域の間通信することと
を行うように実行可能な命令を備える、非一時的コンピュータ読取り可能媒体。
【発明の詳細な説明】
【相互参照】
【０００１】
[0001]本特許出願は、「Flexible Time Division Duplexing Subframe Structure with Latency Reduction」と題され、２０１６年６月２２日に出願された米国特許出願第１５／１８９，９７１号、および「Flexible Time Division Duplexing Subframe Structure with Latency Reduction」と題され、２０１５年９月２日に出願された米国仮特許出願第６２／２１３，５２０号に対する優先権を主張し、それらの各々は、本願の譲受人に譲渡される。
【背景技術】
【０００２】
[0002]下記は、一般に、ワイヤレス通信に関連し、より具体的には、レイテンシの低減を伴うフレキシブルな時分割複信（ＴＤＤ）サブフレーム構造に関連する。
【０００３】
[0003]ワイヤレス通信システムは、音声、ビデオ、パケットデータ、メッセージング、ブロードキャストなどのような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。そのような多元接続システムの例は、ＣＤＭＡシステム、ＴＤＭＡシステム、ＦＤＭＡシステム、およびＯＦＤＭＡシステムを含む。ワイヤレス多元接続通信システムは、いくつかの基地局を含み得、各々が、複数の通信デバイスのための通信を同時にサポートし、それは、別名ユーザ機器（ＵＥ）として知られ得る。
【０００４】
[0004]これらの多元接続技術は、異なるワイヤレスデバイスが都市、国家、地域、さらには地球レベルで通信することを可能にする共通プロトコルを提供するために、様々な電気通信規格において採用されてきた。例となる電気通信規格は、ロングタームエボリューション（ＬＴＥ（登録商標））である。ＬＴＥは、スペクトルの効率性を改善し、コストを下げ、サービスを改善し、新しいスペクトルを利用し、および他のオープンな規格とよりよく統合されるように設計されている。ＬＴＥは、ダウンリンク（ＤＬ）上でＯＦＤＭＡ、アップリンク（ＵＬ）上でシングルキャリア周波数分割多元接続（ＳＣ−ＦＤＭＡ）、および他入力多出力（ＭＩＭＯ）アンテナ技術を使用し得る。
【０００５】
[0005]いくつかの事例において、ＬＴＥシステムを含む、ワイヤレスシステムは、送信時間間隔（ＴＴＩ：transmission time intervals）または異なる持続時間のサブフレームを使用して、低レイテンシ動作をサポートし得る。例えば、１つの持続時間のＴＴＩは、レイテンシにセンシティブ（latency sensitive）でない通信に用いられ得、一方で、より短い持続時間のＴＴＩが、レイテンシにセンシティブな通信に使用され得る。いくつかの事例において、非低レイテンシ通信のための制御シグナリングは、低レイテンシ通信に対しては十分でない可能性がある。これは、通信の遅延および途絶（disruptions）をもたらし得る。
【発明の概要】
【０００６】
[0006]ワイヤレス通信システムは、サブフレームのような、各々がアップリンクまたはダウンリンク通信をサポートするより短い持続時間のＴＴＩを含む送信時間間隔（ＴＴＩ）で、構成され得る。よって、サブフレームの持続時間に関してアップリンクまたはダウンリンクの方向のいずれかに通信するのではなく、例えば、ワイヤレスデバイスは、サブフレームの持続時間の間に送信および受信し得る。サブフレームの様々な領域間の制御シグナリングは、低レイテンシ通信をサポートし得る。
【０００７】
[0007]ユーザ機器（ＵＥ）または基地局のような、ワイヤレスデバイスは、サブフレーム内で、１つまたは複数のアップリンク領域、１つまたは複数のダウンリンク領域、およびガード領域のような、複数の領域を識別し得る。ワイヤレスデバイスは、各領域の間、ダウンリンク領域とアップリンク領域との間のタイミング関係（a timing relationship）に基づいて、識別および通信し得る。例えば、デバイスは、サブフレームにおける１つのダウンリンク領域に関して、ハイブリッド自動再送要求（ＨＡＲＱ：hybrid automated repeat request）フィードバックを、同じサブフレーム次のアップリンク領域への関係に基づいて、期待し（expect）得る。別のダウンリンク領域は、同じサブフレームにおいてＨＡＲＱフィードバックを有さない可能性がある。同様に、アップリンク領域は、同じサブフレーム内で、スケジューリングされ得るか、またはされない可能性がある。
【０００８】
[0008]ワイヤレス通信の方法が説明される。方法は、サブフレームのダウンリンク（ＤＬ）領域を識別することと、ここにおいて、サブフレームは、ＤＬ領域、アップリンク（ＵＬ）領域、ガード領域、および追加的な領域を備え、サブフレームのＵＬ領域を識別することと、ここにおいて、ＵＬ領域のリソース上での送信は、ＤＬ領域とＵＬ領域との間のタイミング関係に、少なくとも部分的に基づき、タイミング関係に従って、ＤＬ領域およびＵＬ領域の間、通信することとを含み得る。
【０００９】
[0009]ワイヤレス通信のための装置が説明される。装置は、サブフレームのダウンリンク（ＤＬ）領域を識別するための手段と、ここにおいて、サブフレームは、ＤＬ領域、アップリンク（ＵＬ）領域、ガード領域、および追加的な領域を備え、サブフレームのＵＬ領域を識別するための手段と、ここにおいて、ＵＬ領域のリソース上での送信は、ＤＬ領域とＵＬ領域との間のタイミング関係に、少なくとも部分的に基づき、タイミング関係に従って、ＤＬ領域およびＵＬ領域の間、通信するための手段とを含み得る。
【００１０】
[0010]ワイヤレス通信のための別の装置が説明される。装置は、プロセッサ、プロセッサと電子通信状態にあるメモリ、およびメモリに記憶された命令を含み得る。命令は、プロセッサに、サブフレームのダウンリンク（ＤＬ）領域を識別することと、ここにおいて、サブフレームは、ＤＬ領域、アップリンク（ＵＬ）領域、ガード領域、および追加的な領域を備え、サブフレームのＵＬ領域を識別することと、ここにおいて、ＵＬ領域のリソース上での送信は、ＤＬ領域とＵＬ領域との間のタイミング関係に、少なくとも部分的に基づき、タイミング関係に従って、ＤＬ領域およびＵＬ領域の間、通信することとを行わせるように動作可能であり得る。
【００１１】
[0011]ワイヤレス通信のための非一時的コンピュータ読取り可能媒体が説明される。非一時的コンピュータ読取り可能媒体は、プロセッサに、サブフレームのダウンリンク（ＤＬ）領域を識別することと、ここにおいて、サブフレームは、ＤＬ領域、アップリンク（ＵＬ）領域、ガード領域、および追加的な領域を備え、サブフレームのＵＬ領域を識別することと、ここにおいて、ＵＬ領域のリソース上での送信は、ＤＬ領域とＵＬ領域との間のタイミング関係に、少なくとも部分的に基づき、タイミング関係に従って、ＤＬ領域およびＵＬ領域の間、通信することとを行わせるように動作可能な命令を含み得る。
【００１２】
[0012]上記に説明された方法、装置、および非一時的コンピュータ読取り可能媒体のいくつかの例は、サブフレームの追加的な領域を識別するためのプロセス、特徴、手段、または命令をさらに含み得、ここにおいて、追加的な領域は、追加的なＤＬ領域または追加的なＵＬ領域を備える。
【００１３】
[0013]上記に説明された方法、装置、および非一時的コンピュータ読取り可能媒体のいくつかの例において、追加的な領域のリソース上での送信は、ＤＬ領域またはＵＬ領域と追加的な領域との間のタイミング関係に、少なくとも部分的に基づき得る。
【００１４】
[0014]上記に説明された方法、装置、および非一時的コンピュータ読取り可能媒体のいくつかの例は、ＤＬ領域の間、ＤＬ制御メッセージを受信するためのプロセス、特徴、手段、または命令をさらに含み得る。
【００１５】
[0015]上記に説明された方法、装置、および非一時的コンピュータ読取り可能媒体のいくつかの例は、ＤＬ領域の間、ＤＬデータを受信するためのプロセス、特徴、手段、または命令をさらに含み得、ここにおいて、ＤＬ領域のリソースは、ＤＬ制御メッセージによってスケジューリングされ得る。
【００１６】
[0016]上記に説明された方法、装置、および非一時的コンピュータ読取り可能媒体のいくつかの例は、ＵＬ領域の間、ＵＬ制御メッセージを送信するためのプロセス、特徴、手段、または命令をさらに含み得、ここにおいて、ＵＬ制御メッセージは、ＤＬ領域の間、受信されたＤＬデータについての肯定応答（ＡＣＫ）情報を備える。
【００１７】
[0017]上記に説明された方法、装置、および非一時的コンピュータ読取り可能媒体のいくつかの例は、追加的な領域の間、ＤＬデータを受信するためのプロセス、特徴、手段、または命令をさらに含み得、ここにおいて、追加的な領域は、ＤＬ領域に続き、ＵＬ領域に先行し、追加的な領域は、ＤＬ制御メッセージによってスケジューリングされたリソースを備える追加的なＤＬ領域を備える。
【００１８】
[0018]上記に説明された方法、装置、および非一時的コンピュータ読取り可能媒体のいくつかの例は、後続のサブフレーム（a subsequent subframe）の間、ＵＬ制御メッセージを送信するためのプロセス、特徴、手段、または命令をさらに含み得、ここにおいて、ＵＬ制御メッセージは、追加的なＤＬ領域の間、受信されたＤＬデータについての肯定応答（ＡＣＫ）情報を備える。
【００１９】
[0019]上記に説明された方法、装置、および非一時的コンピュータ読取り可能媒体のいくつかの例は、ＵＬ領域の間、ＵＬデータまたはＵＬ制御メッセージ、あるいは両方を送信するためのプロセス、特徴、手段、または命令をさらに含み得、ここにおいて、ＵＬ領域のリソースは、ＤＬ制御メッセージによってスケジューリングされ得る。
【００２０】
[0020]上記に説明された方法、装置、および非一時的コンピュータ読取り可能媒体のいくつかの例は、追加的な領域の間、ＵＬデータまたはＵＬ制御メッセージ、あるいは両方を送信するためのプロセス、特徴、手段、または命令をさらに含み得、ここにおいて、追加的な領域は、ＤＬ領域に続き、ＵＬ領域に先行し、追加的な領域は、先行するサブフレームにおける別のＤＬ制御メッセージによってスケジューリングされたリソースを備える追加的なＵＬ領域を備える。
【００２１】
[0021]上記に説明された方法、装置、および非一時的コンピュータ読取り可能媒体のいくつかの例において、ＤＬ領域とＵＬ領域との間のタイミング関係は、サブフレームの間、通信のためにスケジューリングされたユーザ機器（ＵＥ）、またはサブフレームの間、通信をスケジューリングするサービングセル、あるいは両方の性能（a capability）に少なくとも部分的に基づき得る。
【００２２】
[0022]上記に説明された方法、装置、および非一時的コンピュータ読取り可能媒体のいくつかの例において、ＤＬ領域とＵＬ領域との間のタイミング関係は、システム情報（ＳＩ）ブロードキャスト、ラジオリソース制御（ＲＲＣ）シグナリング、またはＤＬ制御メッセージにおけるリソースのグラント、あるいはそれらの任意の組合せを使用して識別され得る。
【００２３】
[0023]上記に説明された方法、装置、および非一時的コンピュータ読取り可能媒体のいくつかの例において、ＤＬ領域とＵＬ領域との間のタイミング関係は、ＵＬ通信およびＤＬ通信に関して別々の領域を有するサブフレームに使用される最短時間持続時間（a minimum time duration）を備え、ＤＬ領域の第１の持続時間およびＵＬ領域の第２の持続時間は、最短時間持続時間に少なくとも部分的に基づき得る。
【００２４】
[0024]上記に説明された方法、装置、および非一時的コンピュータ読取り可能媒体のいくつかの例は、サブフレームのガード領域を識別するためのプロセス、特徴、手段、または命令をさらに含み得、ここにおいて、ＤＬ領域とＵＬ領域との間のタイミング関係は、サブフレーム内のガード領域のロケーションまたはガード領域の持続時間、あるいは両方に少なくとも部分的に基づき得る。
【００２５】
[0025]上記に説明された方法、装置、および非一時的コンピュータ読取り可能媒体のいくつかの例において、サブフレームのガード領域の持続時間は、時分割複信（ＴＤＤ）構成されたキャリアの特別なサブフレームのガード期間とは異なり得、ここにおいて、ＴＤＤ構成されたキャリアは、サブフレームおよび特別なサブフレームを備える。
【００２６】
[0026]上記に説明された方法、装置、および非一時的コンピュータ読取り可能媒体のいくつかの例において、特別なサブフレームのガード期間は、システム内のＵＥのセットにおける各ユーザ機器（ＵＥ）の共通の性能に従って構成され得、ここにおいて、サブフレームのガード領域は、システム内のＵＥのセットのサブセットの異なる性能に従って構成され得る。
【００２７】
[0027]上記に説明された方法、装置、および非一時的コンピュータ読取り可能媒体のいくつかの例において、サブフレームに関する、ＤＬハイブリッド自動再送要求（ＨＡＲＱ）のタイミングまたはＵＬスケジューリングのタイミング、あるいは両方は、後続のサブフレームまたは先行するサブフレームに関するＤＬ  ＨＡＲＱのタイミングまたはＵＬスケジューリングのタイミングとは異なり得る。
【図面の簡単な説明】
【００２８】
【図１】[0028]図１は、本開示の態様に従って、レイテンシの低減を伴うフレキシブルな時分割複信（ＴＤＤ）サブフレーム構造をサポートするワイヤレス通信システムの例を例示する。
【図２】[0029]図２は、本開示の態様に従って、レイテンシの低減を伴うフレキシブルなＴＤＤサブフレーム構造をサポートするワイヤレス通信システムの例を例示する。
【図３】[0030]図３は、本開示の態様に従って、レイテンシの低減を伴うフレキシブルなＴＤＤサブフレーム構造をサポートするフレーム構成の例を例示する。
【図４】[0031]図４は、本開示の態様に従って、レイテンシの低減を伴うフレキシブルなＴＤＤサブフレーム構造をサポートするサブフレーム間（inter-subframe）管理の例を例示する。
【図５】[0032]図５は、本開示の態様に従って、レイテンシの低減を伴うフレキシブルなＴＤＤサブフレーム構造をサポートするシステムにおける処理フローの例を例示する。
【図６】[0033]図６は、本開示の態様に従って、レイテンシの低減を伴うフレキシブルなＴＤＤサブフレーム構造をサポートするワイヤレスデバイスのブロック図を示す。
【図７】図７は、本開示の態様に従って、レイテンシの低減を伴うフレキシブルなＴＤＤサブフレーム構造をサポートするワイヤレスデバイスのブロック図を示す。
【図８】図８は、本開示の態様に従って、レイテンシの低減を伴うフレキシブルなＴＤＤサブフレーム構造をサポートするワイヤレスデバイスのブロック図を示す。
【図９】[0034]図９は、本開示の態様に従って、レイテンシの低減を伴うフレキシブルなＴＤＤサブフレーム構造をサポートするＵＥを含むシステムのブロック図を例示する。
【図１０】[0035]図１０は、本開示の態様に従って、レイテンシの低減を伴うフレキシブルなＴＤＤサブフレーム構造をサポートする基地局を含むシステムのブロック図を例示する。
【図１１】[0036]図１１は、本開示の態様に従って、レイテンシの低減を伴うフレキシブルなＴＤＤサブフレーム構造に関する方法を例示する。
【図１２】図１２は、本開示の態様に従って、レイテンシの低減を伴うフレキシブルなＴＤＤサブフレーム構造に関する方法を例示する。
【図１３】図１３は、本開示の態様に従って、レイテンシの低減を伴うフレキシブルなＴＤＤサブフレーム構造に関する方法を例示する。
【図１４】図１４は、本開示の態様に従って、レイテンシの低減を伴うフレキシブルなＴＤＤサブフレーム構造に関する方法を例示する。
【図１５】図１５は、本開示の態様に従って、レイテンシの低減を伴うフレキシブルなＴＤＤサブフレーム構造に関する方法を例示する。
【図１６】図１６は、本開示の態様に従って、レイテンシの低減を伴うフレキシブルなＴＤＤサブフレーム構造に関する方法を例示する。
【図１７】図１７は、本開示の態様に従って、レイテンシの低減を伴うフレキシブルなＴＤＤサブフレーム構造に関する方法を例示する。
【詳細な説明】
【００２９】
[0037]いくつかのワイヤレスシステムは、それにおいて、送信時間間隔（ＴＴＩ）が、システムにおける他のＴＴＩまたはある特定のレガシーシステムのＴＴＩと比較して低減された持続時間での通信をサポートする低レイテンシ動作を利用し得る。いくつかの事例において、低レイテンシ動作は、著しい無線の（over-the-air）レイテンシの低減をもたらし得る。時分割複信（ＴＤＤ）通信に関するサブフレーム構造は、そのような低レイテンシのシステムにおいて様々な構成を呈し（take on）得る。例えば、ここで説明されるように、いくつかのＴＴＩ（例えば、サブフレーム）は、レイテンシの低減が、システムの１つのＴＴＩの持続時間の間、ユーザ機器（ＵＥ）と基地局との間の送信の周波数を増やすことによって、実現され得るように、アップリンク（ＵＬ）およびダウンリンク（ＤＬ）領域の両方を含み得る。
【００３０】
[0038]例として、１つのＴＤＤサブフレームにおいて、ダウンリンク（ＤＬ）部分、または通信データまたは制御情報を搬送する領域、ガード期間、およびアップリンク（ＵＬ）部分またはアップリンク制御情報を搬送する領域がある可能性がある。代替的に、ＴＤＤサブフレームは、制御情報（例えば、ＵＬ通信に関するスケジューリング情報）を搬送するＤＬ部分、ガード期間、およびＵＬデータまたは制御情報、あるいはデータおよび制御の両方を搬送するＵＬ部分を含み得る。これらのサブフレーム構造は、特に、ＵＬスケジューリングおよびハイブリッド自動再送要求（ＨＡＲＱ）の処理の効率的なハンドリングに関連するとき、改善されたレイテンシの低減に関してさらに区画され得る。
【００３１】
[0039]いくつかの事例において、２つ以上の領域は、複数の領域が、同じサブフレーム内でＨＡＲＱフィードバックまたはＵＬスケジューリングを期待し得るように、サブフレーム内で定義され得る。これは、領域依存のＨＡＲＱフィードバックまたはＵＬスケジューリング、あるいは両方を可能にし得る。例えば、下記に詳細に説明されるように、ＵＥがサブフレームの２つの異なる領域において受信された送信に関するＨＡＲＱフィードバックを有するとき、ＵＥは、１つの領域において受信された送信に関するＨＡＲＱフィードバックを、その領域を含むサブフレームの間、送信し得、ＵＥは、後続のサブフレームにおける第２の領域の間、受信された送信に関するＨＡＲＱフィードバックを、送信し得る。そうして、サブフレームの部分は、ＨＡＲＱフィードバックに関して、低レイテンシ動作をサポートし得る。同様に、サブフレームは、２つの異なるＵＬ領域を含み得、それらのうちの１つは、サブフレームの間、受信されたＤＬ制御メッセージによってスケジューリングされ得、もう一方は、前のサブフレームの間、受信された制御情報によってスケジューリングされ得る。そうして、サブフレームの部分は、ＵＬスケジューリングに関して、低レイテンシ動作をサポートし得る。
【００３２】
[0040]上記で紹介された本開示の態様は、ワイヤレス通信システムのコンテキストにおいて、さらに下記で説明される。特定の例は、次いで、低レイテンシ通信に関する可能性があるフレキシブルなサブフレーム構成に関して説明される。本開示のこれらおよび他の態様は、レイテンシの低減を伴うフレキシブルなＴＤＤサブフレーム構造に関連する装置図、システム図、およびフローチャートによってさらに例示され、それらを参照して説明される。
【００３３】
[0041]図１は、本開示の様々な態様に従って、ワイヤレス通信システム１００の例を例示する。ワイヤレス通信システム１００は、基地局１０５、ＵＥ１１５、およびコアネットワーク１３０を含む。いくつかの例において、ワイヤレス通信システム１００は、ロングタームエボリューション（ＬＴＥ）／ＬＴＥ−アドバンスト（ＬＴＥ−Ａ）ネットワークであり得る。ワイヤレス通信システム１００は、低レイテンシ通信に関してフレキシブルなサブフレーム構成をサポートし得、同じサブフレーム内にＨＡＲＱフィードバックおよびスケジューリングをサポートするための追加的な領域を含むサブフレームを使用し得る。
【００３４】
[0042]基地局１０５は、１つまたは複数の基地局アンテナを介して、ＵＥ１１５とワイヤレスに通信し得る。各基地局１０５は、それぞれの地理的なカバレッジエリア１１０に対して通信カバレッジを提供し得る。ワイヤレス通信システム１００において示される通信リンク１２５は、ＵＥ１１５から基地局１０５へのＵＬ送信、または基地局１０５からＵＥ１１５へのＤＬ送信を含み得る。ＵＥ１１５は、ワイヤレス通信システム１００全体にわたって分散され得、各ＵＥ１１５は、固定またはモバイルであり得る。ＵＥ１１５はまた、モバイルＳＴＡ、加入者ＳＴＡ、遠隔ユニット、ワイヤレスデバイス、アクセス端末（ＡＴ）、ハンドセット、ユーザエージェント、クライアント、または同様の専門用語で呼ばれ得る。ＵＥ１１５はまた、セルラ電話、ワイヤレスモデム、ハンドヘルドデバイス、パーソナルコンピュータ、タブレット、パーソナル電子デバイス、マシンタイプ通信（ＭＴＣ：machine type communication）デバイスまたは同様のものであり得る。
【００３５】
[0043]基地局１０５は、コアネットワーク１３０と、および、互いに通信し得る。例えば、基地局１０５は、バックホールリンク１３２（例えば、Ｓ１など）を通じてコアネットワーク１３０とインターフェースし得る。基地局１０５は、（例えば、コアネットワーク１３０を通じて）直接的にまたは間接的にのいずれかで、バックホールリンク１３４（例えば、Ｘ２など）上で互いに通信し得る。基地局１０５は、ＵＥ１１５との通信のために無線構成およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５はまた、ｅＮｏｄｅＢ（発展型ノードＢ（ｅＮＢ））１０５と呼ばれ得る。
【００３６】
[0044]いくつかの事例において、ワイヤレス通信システム１００は、１つまたは複数の拡張されたコンポーネントキャリア（ｅＣＣ）を利用し得る。ｅＣＣは、フレキシブルな帯域幅、異なるＴＴＩ、および修正された制御チャネル構成を含む１つまたは複数の特徴によって、特徴づけられ得る。いくつかの事例において、ｅＣＣは、（例えば、複数のサービングセルが準最適なバックホールリンク（a suboptimal backhaul link）を有するとき）デュアルコネクティビティ構成またはＣＡ構成に関連付けられ得る。ｅＣＣはまた、（例えば、１人より多くのオペレータがスペクトルを使用することをライセンスされている）共有スペクトルまたはアンライセンスのスペクトルにおける使用のために構成され得る。フレキシブルな帯域幅によって特徴付けられるｅＣＣは、（例えば、電力を節約するために）限定された帯域幅を使用することを好むか、または帯域幅全体をモニタすることが可能でないＵＥ１１５によって利用され得る１つまたは複数のセグメントを含み得る。いくつかの例において、ｅＣＣは、低レイテンシの通信をサポートするための複数のＵＬ領域およびＤＬ領域を有するサブフレームを含むＴＤＤ構成を利用し得る。
【００３７】
[0045]いくつかの例において、ｅＣＣは、異なるＴＴＩの長さに関連付けられた複数の階層レイヤを含み得る。例えば、１つの階層レイヤにおけるＴＴＩは、一様な（uniform）１ｍｓサブフレームに対応し得、一方で第２のレイヤにおいて、可変の長さのＴＴＩは、短い持続時間のシンボル期間のバーストに対応し得る。いくつかの事例において、より短いシンボル持続時間はまた、増大されたサブキャリア間隔に関連付けられ得る。低減されたＴＴＩの長さと併せて、ｅＣＣは、動的ＴＤＤ動作を利用し得る（すなわち、それは、動的条件に従って、短いバーストのためにＤＬ動作からＵＬ動作に切り替え得る）。フレキシブルな帯域幅および可変のＴＴＩは、修正された制御チャネル構成に関連付けられ得る（例えば、ｅＣＣは、ＤＬ制御情報に関する拡張物理ダウンリンク制御チャネル（ｅＰＤＣＣＨ）を利用し得る）。例えば、ｅＣＣの１つまたは複数の制御チャネルは、フレキシブルな帯域幅の使用に対応する（accommodate）ために、周波数分割多重化（ＦＤＭ）スケジューリングを利用し得る。他の制御チャネル修正は（例えば、ｅＭＢＭＳスケジューリングのための、または、可変の長さのＵＬバーストおよびＤＬバーストの長さを指示するための）追加的な制御チャネルの使用を含み、または異なる間隔で送信された制御チャネルの使用を含む。ｅＣＣはまた、修正されたまたは追加的なＨＡＲＱに関連した制御情報を含み得る。
【００３８】
[0046]ワイヤレス通信システム１００は、ワイヤレス通信の信頼性（reliability）を改善するために、ハイブリッド自動再送要求（ＨＡＲＱ）を利用し得る。つまり、ＨＡＲＱは、データがワイヤレス通信リンク１２５を通じて正確に受信されることを確実にする方法であり得る。ＨＡＲＱは、（例えばＣＲＣを使用した）エラー検出、ＦＥＣ、および再送信（例えば、自動再送要求（ＡＲＱ））の組合せを含み得る。ＨＡＲＱは、不十分な無線条件（poor radio conditions）（例えば、信号対雑音条件（signal-to-noise conditions））においてＭＡＣレイヤでスループットを改善し得る。増分冗長ＨＡＲＱ（Incremental Redundancy HARQ）において、不正確に受信されたデータは、バッファに記憶され得、成功裏にデータを復号することの総合的な見込み（overall likelihood）を改善するために後続の通信と組み合わされ得る。いくつかの事例において、冗長ビットが送信の前に各メッセージに加えられる。これは、不十分な条件において有用であり得る。他の事例において、冗長ビットは、各送信に追加されないが、元のメッセージの送信機が情報を復号する試みが失敗したこと（a failed attempt）を示すＮＡＣＫを受信した後に、再送信される。
【００３９】
[0047]キャリアは、（例えば、ペアのスペクトルリソースを使用する）ＦＤＤ動作または（例えば、ペアではないスペクトルリソースを使用する）ＴＤＤ動作を使用して、双方向通信を送信し得る。ＦＤＤについてのフレーム構造（例えば、フレーム構造タイプ１）およびＴＤＤについてのフレーム構造（例えば、フレーム構造タイプ２）が定義され得る。ＴＤＤフレーム構造に関して、各サブフレームは、ＵＬトラフィックまたはＤＬトラフィックを搬送し得、特別なサブフレームは、ＤＬ送信とＵＬ送信との間で切り替えるために使用され得、低レイテンシの通信をサポートするサブフレーム（例えば、ＵＬ領域およびＤＬ領域の両方を含むサブフレーム）は、１つのサブフレームの持続時間においてＵＬ通信およびＤＬ通信の両方をサポートし得る。ラジオ・フレーム内のＵＬサブフレームおよびＤＬサブフレームの割り当ては、対称または非対称であり得、静的に決定され得るか、または半静的に再構成され得る。特別なサブフレームは、ＤＬトラフィックまたはＵＬトラフィックを搬送し得、ＤＬトラフィックとＵＬトラフィックとの間のガード期間（ＧＰ）を含み得る。ワイヤレス通信システム１００においてＴＤＤ構成されたキャリア（TDD-configured carriers）は、低レイテンシの通信をサポートするサブフレームおよび特別なサブフレームの両方を含み得る。
【００４０】
[0048]いくつかの事例において、ＵＬトラフィックからＤＬトラフィックへの切り替えは、特別なサブフレームまたはガード期間の使用なしで、ＵＥ１１５においてタイミング・アドバンスを設定することによって達成され得る。フレーム期間（例えば、１０ｍｓ）またはフレーム期間の半分（例えば、５ｍｓ）に等しい切り替えポイントの周期性を伴うＵＬ−ＤＬ構成もまたサポートされ得る。例えば、ＴＤＤフレームは、１つまたは複数の特別なフレームを含み得、特別なフレーム間の期間は、そのフレームに関するＴＤＤのＤＬからＵＬへの切り替えポイントの周期性を決定し得る。ＴＤＤの使用は、ペアのＵＬ−ＤＬスペクトルリソースなしで使用され得るフレキシブルな展開を提示する(offers)。いくつかのＴＤＤネットワーク展開では、干渉が、ＵＬおよびＤＬ通信間に引き起こされ得る（例えば、異なる基地局からのＵＬおよびＤＬ通信間の干渉、基地局およびＵＥからのＵＬおよびＤＬ通信間の干渉など）。例えば、異なる基地局１０５が、異なるＴＤＤ  ＵＬ−ＤＬ構成に従って、重複するカバレッジエリア内で、異なるＵＥ１１５にサービス提供する（serve）場合、サービング基地局１０５からのＤＬ送信を受信および復号することを試みるＵＥ１１５は、他の、近接して位置されるＵＥ１１５からのＵＬ送信からの干渉を経験することがある。いくつかの事例において、低レイテンシの通信をサポートするサブフレームは、ＵＬ領域およびＤＬ領域に追加して、領域間の切り替えをサポートするためのガード領域を有し得る。以下で論じられるように、これらの低レイテンシのサブフレームのガード領域は、特別なサブフレームのＧＰとは異なり得る。
【００４１】
[0049]ＵＥ１１５または基地局１０５は、低レイテンシにおける効率性を改善するためにサブフレーム内のさまざまな構成を利用し得る。ＵＥ１１５または基地局１０５は、サブフレーム内において、１つまたは複数のＵＬ領域、１つまたは複数のＤＬ領域、およびガード領域のような、複数の領域を識別し得る。ＵＥ１１５または基地局１０５は、ＤＬ領域とＵＬ領域との間のタイミング関係に基づいて、各領域の間、識別および通信し得る。例えば、ＵＥ１１５または基地局１０５は、同じサブフレームにおける１つのＤＬ領域に関して、ハイブリッド自動再送要求（ＨＡＲＱ）フィードバックを、次のＵＬ領域への関係に基づいて、期待し得る。同様に、ＵＬ領域は、同じサブフレーム内で、スケジューリングされ得るか、またはされない可能性がある。
【００４２】
[0050]図２は、レイテンシの低減を伴うフレキシブルなＴＤＤサブフレーム構造をサポートするワイヤレス通信システム２００の例を例示する。ワイヤレス通信システム２００は、基地局１０５−ａおよびＵＥ１１５−ａを含み得、それは、図１を参照して説明される対応するデバイスの例であり得る。ＵＥ１１５−ａは、ＴＤＤ通信リンク２０５を介して、基地局１０５−ａと通信し得、ここで、アップリンクおよびダウンリンク制御およびデータの両方は、同じサブフレーム２１０のＴＴＩ内で、送信され得る。ここで説明されるように、サブフレーム２１０は、低レイテンシ通信を可能にするフレキシブルなＴＴＩ構成を有し得る。
【００４３】
[0051]ワイヤレス通信システム２００は、ＤＬ送信およびＵＬ送信間のレイテンシを低減するために、低減されたまたは可変のＴＴＩ持続時間を使用し得る。例えば、いくつかのワイヤレスシステムにおいて、ＨＡＲＱ応答時間は、４ｍｓと長くかかり得るのに対して、いくつかの低レイテンシシステムは、何百マイクロ秒で、ＨＡＲＱを完了させ得る。いくつかの事例において、低レイテンシＴＴＩは、通常のサイクリックプレフィクス（ＣＰ）に関しては、１つのＬＴＥシンボル期間またはおよそ７１μｓ、および拡張されたＣＰに関しては、およそ８３μｓに対応し得る。しかしながら、他のＴＴＩの長さが、可能である（例えば、２つのＬＴＥシンボル期間、１スロット、など）。いくつかの低減されたレイテンシの構成において、サブフレームは、ＵＬ領域およびＤＬ領域の両方を含み得る。
【００４４】
[0052]サブフレーム内のＵＬ  ＴＴＩおよびＤＬ  ＴＴＩの両方に関するポテンシャル（potential）に基づいて、および送信方向が、基地局１０５−ａによって、動的にスケジューリングされ得るので、ＵＥ１１５−ａは、次回の（upcoming）ＴＴＩが、ＵＬ  ＴＴＩになるか、またはＤＬ  ＴＴＩになるかに気づかない可能性がある。よって、いくつかの例において、ＵＥ１１５−ａは、それがＤＬ制御またはデータ送信を含む可能性があるかのように、各ＴＴＩをモニタリングし得、ＵＥ１１５−ａは、明示的または暗示的なシグナリングに対する想定（assumption）をチェックし得る。例えば、ＵＥ１１５−ａまたは基地局１０５−ｂは、グラントを受信し得、−例えば、（ＤＬグラントに関する）ＨＡＲＱのタイミングまたは（ＵＬグラントに関する）ＵＬスケジューリングのタイミングに基づいて−後続のＴＴＩが、ＵＬ  ＴＴＩであることを決定し得る。追加的または代替的に、ＵＥ１１５−ａまたは基地局１０５−ａは、所与のＴＴＩの前に、所定の時間期間において送信方向の明示的なシグナリングを受信し得る。いくつかの事例において、ＵＥ１１５−ａが、ＴＴＩがＵＬ  ＴＴＩであることを決定する場合、明示的または暗示的なシグナリングのいずれかに基づいて、ＵＥ１１５−ａは、ＴＴＩの間、電力を節約するために、モニタリングすることを控え得る（または、いくつかの例において、それは、ＵＬデータを送信し得る）。
【００４５】
[0053]いくつかの事例において、ＴＤＤを使用した通信は、ＴＤＤサブフレーム２１０のいくつかのＵＬ／ＤＬ構成に関連付けられ得、それは、ＵＬ、ＤＬ、または特別な（または下記で説明されるように、Ｕ’またはＤ’）と指定され得る。複数の切り替えの周期性（すなわち、５ｍｓおよび１０ｍｓ）はまた、サブフレーム構成の各々と関連付けられ得、ここで、各周期性は、特別なサブフレームの異なる数と関連付けられる。例えば、５ｍｓの切り替えポイントの周期性は、１つのフレームにおける２つの特別なサブフレームに関連付けられ、１０ｍｓの切り替えポイントの周期性は、一フレームにおける１つの特別なサブフレームに対応する。表１に示されるように、様々なアップリンク／ダウンリンク構成と、ダウンリンクからアップリンクの切り替えポイントの周期性との間の関係の例が、提供される。
【表１】
2018530217.tif 000003
【００４６】
[0054]バックワードの互換性の制約およびある特定のＴＤＤ  ＤＬまたはＵＬサブフレーム構成に起因して、ＴＤＤ下の低レイテンシをサポートすることは、追加的な制御シグナリングまたは暗示的な制御規約（convention）を利用し得る。サブフレーム構成は、例えば、システム情報ブロードキャスト（例えば、システム情報ブロックタイプ１（ＳＩＢ１））で示され得る。ある特定のＵＥは、低レイテンシ動作をサポートするサブフレームとして、ＤＬサブフレームおよびＵＬサブフレーム２１０を認識および使用し得、一方で、他は、非低レイテンシ構成を認識する。サブフレーム構成は、他のネットワーク動作に関するセル固有の基準信号（ＣＲＳ）シンボル、ガード期間（ＧＰ）、または制御領域に左右され（be subject to）得る。ＣＲＳは、ある特定のサブフレームのタイプ、例えば、マルチブロードキャスト単一周波数ネットワーク（ＭＢＳＦＮ）サブフレーム、に存在しない可能性があるが、そのようなサブフレームは、依然として、低レイテンシ動作に使用され得る。いくつかの事例において、ＵＬサブフレームまたは特別なサブフレームは、ＤＬ／ＵＬの低レイテンシのアレンジメント（arrangements）に関して追加的なフレキシビリティを提供し得る。
【００４７】
[0055]ＴＤＤサブフレーム構造は、異なる構成を呈し得る。例えば、Ｄ’として示される主の（primarily）ダウンリンクサブフレーム２１５は、通信データまたは制御情報を搬送するダウンリンク部分、ガード期間、およびアップリンク制御情報を搬送するアップリンク部分を含むことができる。代替的に、Ｕ’として示される主のアップリンクサブフレーム２２０は、制御情報（例えば、ＵＬ通信に関するスケジューリング情報）を搬送するダウンリンク部分、ガード期間、およびＵＬデータまたは制御情報を搬送するアップリンク部分を含み得る。
【００４８】
[0056]いくつかのワイヤレス通信システムにおいて、低レイテンシをサポートするＴＤＤサブフレーム、ＤＬサブフレーム、特別なサブフレーム、またはＵＬサブフレームを使用することは、ＤＬおよびＵＬに関する制御情報およびデータを含み得る。追加的に、ここで論じられるＤ’サブフレーム構造およびＵ’サブフレーム構造は、各サブフレームにおけるＤＬデータまたはＵＬデータに、それぞれ、注目し（focus）得る。いくつかの事例において、Ｄ’において単一の送信ブロックとして送信されたＤＬデータは、同じサブフレームのＵＬ部分においてＨＡＲＱフィードバックを有さない可能性がある。同様に、Ｕ’において単一の送信ブロックとして送信されたＵＬデータは、同じサブフレームのＤＬ部分によってスケジューリングされない可能性がある。
【００４９】
[0057]よって、Ｄ’およびＵ’サブフレームに関して、ＵＥ１１５−ａまたは基地局１０５−ａが、同じサブフレーム内で、ＨＡＲＱフィードバックまたはＵＬスケジューリングを期待できるように、２つ以上の領域は、識別されることができ、一方で、それらの領域の１つまたは複数が、同じサブフレーム内で、ＨＡＲＱフィードバック（またはＵＬスケジューリング）をサポートしない可能性がある。つまり、サブフレーム内に領域依存のＨＡＲＱフィードバックまたはＵＬスケジューリングがある可能性がある。例えば、２つのＤＬデータまたは制御領域が、Ｄ’サブフレーム構成において定義されるとき、第１の領域は、同サブフレーム（same-subframe）ＨＡＲＱフィードバックを有し、第２の領域は、後続のサブフレームにおいて、ＨＡＲＱフィードバックを有する。いくつかの事例において、第２の領域は、ＤＬ制御なしでＤＬデータを有し得る（例えば、第１の領域は、全ての制御データを搬送し得る）。２つのＵＬデータ／制御領域はまた、Ｕ’サブフレーム構成内で定義され得、ここで、第１の領域は、同サブフレームスケジューリングを有さない可能性があるが、ＵＬスケジューリングは、第２の領域に関して同じサブフレーム内でなされ得る。
【００５０】
[0058]レイテンシの低減をサポートするフレキシブルなサブフレーム構造で、様々な区画する（partitioning）スキームが、異なるアプリケーションに使用され得る。例えば、サブフレームの領域を区画することは、セル固有またはＵＥ固有であり得る。つまり、いくつかのＵＥ１１５は、異なる性能を有し得、いくつかの事例において、ＤＬ領域の終わりからＵＬ領域の始まりまでの持続時間は、より大きい処理性能を有するＵＥ１１５に対応する（accommodate）ためにより短くあり得る。領域を区画することはまた、半静的であり得（例えば、ＳＩＢまたはＲＲＣシグナリングによって示される）、また、暗示的（implicit）であり得る（例えば、ＤＬ領域の終わりとＵＬ領域の始まりとの間の最小限のギャップは特定されることができ、同サブフレームスケジューリング／ＨＡＲＱフィードバックが行われることを可能にし、領域は暗示的に導出され得る）。追加的に、ＵＥは、サブフレームの１つまたは複数の領域でスケジューリングされ得る。例えば、上記で論じられる２つの領域（two-region）の例において、ＵＥは、第１の領域、第２の領域、または両方の領域でスケジューリングされ得る。追加的に、サブフレーム内における領域はまた、ガード期間の持続時間に依存し得る。つまり、ガード期間が十分に大きい場合、全ての領域は、同サブフレームスケジューリングまたはＨＡＲＱフィードバックを有し得、領域に依存するタイミングは、不必要である可能性がある。
【００５１】
[0059]いくつかの事例において、サブフレーム内でガード期間管理がある可能性がある。例えば、ＤＬサブフレームまたはＵＬサブフレームにおけるガード期間の持続時間は、ＴＤＤ  ＤＬ／ＵＬサブフレーム構成の特別なサブフレームにおけるガード期間とは異なり得る。つまり、特別なサブフレームにおけるガード期間は、主にセルにおいて通信している全てのＵＥ１１５に使用され得、ここで、Ｄ’サブフレームまたはＵ’サブフレームにおけるガード期間は、セル内のＵＥ１１５のグループに主に使用され得る。いくつかの事例において、Ｄ’サブフレームにおけるガード期間の持続時間は、Ｕ’サブフレームにおけるガード期間とは異なり得る。ＤＬ  ＨＡＲＱのタイミングはまた、ＵＬスケジューリングのタイミングとは異なることができる（例えば、ＤＬ  ＨＡＲＱのタイミングに関して４つのシンボルおよびＵＬスケジューリング／タイミングに関して２つのシンボル）。ＴＴＩの異なる領域はまた、サブフレームにわたって異なるＨＡＲＱ／スケジューリングのタイミングを有し得る。Ｄ’およびＵ’が、異なるＵＬ領域の持続時間を有し得るので、Ｄ’サブフレームおよびＵ’サブフレームのフレキシブルな利用もまた、ある可能性がある。リンクバジェットが制限されたＵＥ１１５−ａのためにＤ’サブフレームおよびＵ’サブフレームの柔軟性を使用することはまた、ＵＬ制御情報送信のためのＵ’におけるＵＬ部分、およびＤ’のそれと比べてより長いＵＬ部分を使用することが、改善されたカバレッジを提供することができるように、有益であり得る。
【００５２】
[0060]図３は、レイテンシの低減を伴うフレキシブルなＴＤＤサブフレーム構造をサポートするフレーム構成３００の拡大図の例を例示する。いくつかの事例において、フレーム構成３００は、図１〜２を参照して説明されるように、ＵＥ１１５または基地局１０５によって行われる技法の態様を表し得る。フレーム構成３００は、フレーム３０５を含み得、それは、ＤＬまたはＵＬに対してスケジューリングされたいくつかのサブフレーム３１０を含み得る。いくつかの事例において、サブフレーム３１０は、図２を参照して説明されるように、ＴＴＩの例であり得る。フレーム３０５は、低レイテンシ通信システムにおいて、フレキシブルなサブフレーム構造を例示し得る。
【００５３】
[0061]フレーム３０５は、構成可能であるかさもなければ低レイテンシ動作をサポートするいくつかのダウンリンクサブフレーム３１５−ａおよびＵＬサブフレーム３２０−ａを含み得る。いくつかの事例において、フレーム３０５は、低レイテンシ動作をサポートするサブフレームおよびレイテンシにさほどセンシティブではないトラフィックのためのアップリンク通信またはダウンリンク通信をサポートするサブフレームの両方を含み得る。ダウンリンクサブフレーム３１５およびＵＬサブフレーム３２５の分散は、所定のＵＬ／ダウンリンクＴＤＤ構成に従って、ＵＥ１１５または基地局１０５によって決定され得る。ダウンリンクサブフレーム３１５とＵＬサブフレーム３２０との間で、ＵＥ１１５または基地局１０５は、何の情報もスケジューリングしない可能性がある。そのようなスケジューリングのギャップは、ＵＥ１１５が、ダウンリンクセットアップからＵＬセットアップに移行することを可能にする。よって、フレーム３０５は、通信の方向が（例えば、ダウンリンクからＵＬに）変化する時（occasions）に、ガード期間として振る舞う特別なサブフレーム３２０を含み得る。
【００５４】
[0062]サブフレーム３１０は、スロットおよびシンボルのような、より小さいセグメントに区画され得る。サブフレーム３１０はまた、ＤＬ領域、追加的な領域、ガード期間、およびＵＬ領域のような、異なる領域を含み得る。例えば、Ｄ’サブフレーム３１５−ｂにおいて、第１のＤＬ領域、追加的なＤＬ領域、ガード期間、およびＵＬ領域が構成され得る。いくつかの事例において、Ｄ’サブフレーム３１５−ｂの第１のＤＬ領域は、同じサブフレーム内で、ＨＡＲＱフィードバック３３０−ａをサポートするＵＬ制御領域タイミング関係（例えば、ＵＬ制御領域への近接）を有し得、第２のＤＬ領域は、同じサブフレーム内で、ＨＡＲＱフィードバック３３０−ｂをサポートしないＵＬ制御領域異なるタイミング関係（例えば、ＵＬ制御領域への近接）を有し得る（しかし、第２のＤＬ領域に関するＨＡＲＱフィードバックは、後続のサブフレームにおいて送信され得る）。いくつかの事例において、サブフレーム３１０は、ＤＬ領域、ガード期間、第１のＵＬ領域、および追加的なＵＬ領域を含むＵ’サブフレーム３２０−ｂに区画され得る。いくつかの例において、第１のＵＬ領域は、同じＵ’サブフレーム３２０−ｂ内でＵＬスケジューリング３４０−ａを有さない可能性があるが、追加的なＵＬサブフレーム領域に関するＵＬスケジューリング３４０−ｂは、同じサブフレーム内にあり得る。
【００５５】
[0063]図４は、レイテンシの低減を伴うフレキシブルなＴＤＤサブフレーム構造をサポートするサブフレーム間スケジューリング４００をサポートするフレーム構成の例を例示する。いくつかの事例において、サブフレーム間スケジューリング４００をサポートするフレーム構成は、図１〜２を参照して説明されるように、ＵＥ１１５または基地局１０５によって行われる技法の態様を表し得る。サブフレーム間スケジューリング４００をサポートするフレーム構成は、フレーム４０５を含み得、それは、ＤＬまたはＵＬに関してスケジューリングされたいくつかの（a number of）サブフレームのを含み得る。
【００５６】
[0064]フレーム４０５は、いくつかのサブフレーム４１０を含み得、それは、ＤＬ領域、追加的な領域、ガード期間、およびＵＬ領域のような、異なる領域にさらに区画され得る。いくつかの事例において、低レイテンシに関してフレキシブルなフレーム構成をサポートするフレーム間管理は、異なるサブフレーム４１０内の領域に使用され得る。例えば、異なるサブフレームにおける領域４２０に関するＨＡＲＱフィードバック４２５−ｂに加えて、同じサブフレーム内における領域４１５に関するＨＡＲＱフィードバック４２５−ａがある可能性がある。つまり、異なる領域は、異なるサブフレーム４１０にわたって異なるＨＡＲＱ（またはスケジューリング）のタイミングを有し得る。
【００５７】
[0065]図５は、本開示の様々な態様に従って、レイテンシの低減を伴うフレキシブルなＴＤＤサブフレーム構造をサポートする処理フロー５００の例を例示する。処理フロー５００は、基地局１０５−ａおよびＵＥ１１５−ａを含み得、それは、図１〜２に参照して説明される対応するデバイスの例であり得る。
【００５８】
[0066]ステップ５０５において、ＵＥ１１５−ｂまたは基地局１０５−ｂは、サブフレームのＤＬ領域を識別し得、ここで、サブフレームは、ＤＬ領域、ＵＬ領域、ガード領域、および追加的な領域を含む。いくつかの事例において、ＵＥ１１５−ｂまたは基地局１０５−ｂは、サブフレームの追加的な領域を識別し得、ここで、追加的な領域は、追加的なＤＬ領域であり得、ここで、追加的な領域のリソース上での送信は、ＤＬ領域と追加的な領域との間のタイミング関係に基づき得る。つまり、いくつかの例において、ＤＬ領域とＵＬ領域との間のタイミング関係は、サブフレームの間、通信のためにスケジューリングされたＵＥ、およびサブフレームの間、通信をスケジューリングするサービングセルの性能に基づく。
【００５９】
[0067]いくつかの事例において、ＤＬ領域とＵＬ領域との間のタイミング関係は、システム情報ブロードキャストまたは無線リソース制御（ＲＲＣ）シグナリング、またはＤＬ制御メッセージにおけるリソースのグラント、あるいはそれらの任意の組合せを使用して識別され得る。追加的に、ＤＬ領域とＵＬ領域との間のタイミング関係は、ＵＬ通信およびＤＬ通信に関して別々の領域を有するサブフレームに使用される最短時間持続時間を含み得、ＤＬ領域の第１の持続時間およびＵＬ領域の第２の持続時間は、最短時間持続時間に基づき得る。いくつかの事例において、サブフレームに関するＤＬハイブリッド自動再送要求（ＨＡＲＱ）のタイミングまたはＵＬスケジューリングのタイミング、あるいは両方は、後続のサブフレームまたは先行するサブフレームに関するＤＬ  ＨＡＲＱのタイミングまたはＵＬスケジューリングのタイミングとは異なる。
【００６０】
[0068]ＵＥ１１５−ｂおよび基地局１０５−ｂは、サブフレームのガード領域を識別し得、ＤＬ領域とＵＬ領域との間のタイミング関係は、サブフレーム内のガード領域のロケーションまたはガード領域の持続時間、あるいは両方に基づき得る。つまり、サブフレームのガード領域の持続時間は、時分割複信（ＴＤＤ）構成されたキャリアの特別なサブフレームのガード期間とは異なり、ＴＤＤ構成されたキャリア（TDD configured carrier）は、サブフレームおよび特別なサブフレームを含み得る。
【００６１】
[0069]いくつかの例において、特別なサブフレームのガード期間は、システム内の、ＵＥ１１５−ｂを含む、ＵＥのセットにおける各ユーザ機器（ＵＥ）の共通の性能に従って構成され、サブフレームのガード領域は、システム内の、ＵＥ１１５−ｂを含む、ＵＥのセットのサブセットの異なる性能に従って構成される。いくつかの事例において、サブフレームのガード領域の持続時間（例えば、Ｕ’またはＤ’）は、ＤＬ領域の第２の持続時間および追加的な領域の第３の持続時間に対してのＵＬ領域の第１の持続時間に基づき、サブフレームに関するＤＬハイブリッド自動再送要求（ＨＡＲＱ）のタイミングまたはＵＬスケジューリングのタイミングは、サブフレームのガード領域の持続時間に基づき得る。
【００６２】
[0070]ステップ５１０において、ＤＬ領域の間、ＤＬ制御メッセージを、基地局１０５−ｂは送信し得、ＵＥ１１５−ｂは受信し得る。いくつかの事例において、ＤＬ領域の間にＤＬ制御メッセージを送信することは、ＵＬ領域の間、ＵＬデータまたはＵＬ制御メッセージ、あるいは両方を、ＵＥ１１５−ｂが送信すること、および基地局１０５−ｂが受信することを可能にし得、ＵＬ領域のリソースは、ＤＬ制御メッセージによってスケジューリングされ得る。いくつかの例において、追加的な領域の間、ＵＬデータまたはＵＬ制御メッセージ、あるいは両方を、ＵＥ１１５−ｂは送信し得、基地局１０５−ｂは受信し得、ここで、追加的な領域は、ＤＬ領域に続き、ＵＬ領域に先行し、追加的な領域は、先行するサブフレームにおける別のＤＬ制御メッセージによってスケジューリングされたリソースを備える追加的なＵＬ領域を含み得る。
【００６３】
[0071]ステップ５１５において、サブフレームのＤＬ領域の間、ＤＬデータを、基地局１０５−ｂは送信し得、ＵＥ１１５−ｂは受信し得、ＤＬ領域のリソースは、ＤＬ制御メッセージによってスケジューリングされ得る。いくつかの事例において、ＤＬ領域の間、ＤＬデータを、基地局１０５−ｂは送信し得、ＵＥ１１５−ｂは受信し得る。ＤＬデータは、例えば、ＤＬ領域および追加的なＤＬ領域のリソースをマッピングされた１つのトランスポートブロックを含み得る。いくつかの例において、追加的な領域の間、ＤＬデータを、基地局１０５−ｂは送信し得、ＵＥ１１５−ｂは受信し得、追加的な領域は、ＤＬ領域に続き得、ＵＬ領域に先行し得る。追加的な領域は、ＤＬ制御メッセージによってスケジューリングされたリソースを有する追加的なＤＬ領域であり得る。
【００６４】
[0072]ステップ５２０において、ＵＥ１１５−ｂまたは基地局１０５−ｂは、サブフレームのＵＬ領域を識別し得、ＵＬ領域のリソース上での送信は、よって、ＤＬ領域とＵＬ領域との間のタイミング関係に基づき得る。いくつかの事例において、ＵＥ１１５−ｂまたは基地局１０５−ｂは、サブフレームの追加的な領域を識別し得、追加的な領域は、追加的なＵＬ領域を含み得、追加的な領域のリソース上での送信は、ＵＬ領域と追加的な領域との間のタイミング関係に基づき得る。
【００６５】
[0073]いくつかの事例において、ＤＬ領域の間、ＤＬ制御メッセージを送信することは、ＵＥ１１５−ｂが、ＵＬ領域の間、ＵＬデータまたはＵＬ制御メッセージ、あるいは両方を送信することを可能にし得る。ＵＬ領域のリソースは、例えば、ＤＬ制御メッセージによってスケジューリングされ得る。いくつかの例において、ＵＥ１１５−ｂは、追加的な領域の間、ＵＬデータまたはＵＬ制御メッセージ、あるいは両方を送信し得、追加的な領域は、ＤＬ領域に続き得、ＵＬ領域に先行し得る。追加的な領域は、先行するサブフレームにおける別のＤＬ制御メッセージによってスケジューリングされたリソースを含む追加的なＵＬ領域であり得る。
【００６６】
[0074]ステップ５２５において、ＵＬ領域の間、ＵＬ制御メッセージを、ＵＥ１１５−ｂは送信し得、基地局１０５−ｂは受信し得る。ＵＬ制御メッセージは、ＤＬ領域の間、受信されたＤＬデータに関するＡＣＫ情報を含み得る。いくつかの例において、後続のサブフレームの間、ＵＬ制御メッセージを、ＵＥ１１５−ｂは送信し得、基地局１０５−ｂは受信し得、ＵＬ制御メッセージは、追加的なＤＬ領域の間、受信されたＤＬデータに関するＡＣＫ情報を含み得る。
【００６７】
[0075]図６は、本開示の様々な態様に従って、レイテンシの低減を伴うフレキシブルなＴＤＤサブフレーム構造をサポートするワイヤレスデバイス６００のブロック図を示す。ワイヤレスデバイス６００は、図１および２を参照して説明されるＵＥ１１５または基地局１０５の態様の例であり得る。ワイヤレスデバイス６００は、受信機６０５、フレキシブルなサブフレームモジュール６１０、および送信機６１５を含み得る。ワイヤレスデバイス６００はまた、プロセッサを含み得る。これらのコンポーネントの各々は、互いに通信状態にあり得る。ワイヤレスデバイス６００はまた、図９および１０を参照して説明されるＵＥ１１５−ｂまたは基地局１０５−ｃの例を表し得る。
【００６８】
[0076]受信機６０５は、様々な情報チャネル（例えば、レイテンシの低減を伴うフレキシブルなＴＤＤサブフレーム構造に関連する情報、データチャネル、および制御チャネル、など）に関連付けられたパケット、ユーザデータ、または制御情報のような、情報を受信し得る。情報は、デバイスの他のコンポーネントに伝えられ（passed on）得る。受信機６０５はまた、図９および１０を参照して説明されるトランシーバ９２５またはトランシーバ１０２５の態様の例を表し得る。
【００６９】
[0077]フレキシブルなサブフレームモジュール６１０は、サブフレームのＤＬ領域を識別し得、それは、ＤＬ領域、ＵＬ領域、ガード領域、および追加的な領域（例えば、追加ＵＬ領域またはＤＬ領域）を含み得る。フレキシブルなサブフレームモジュールはまた、サブフレームのＵＬ領域を識別し得る。上記に説明されたように、ＵＬ領域のリソース上での送信は、ＤＬ領域とＵＬ領域との間のタイミング関係に基づき得る。フレキシブルなサブフレームモジュール６１０は、受信機６０５または送信機６１５、あるいは両方と組み合わせて、サブフレームのタイミング関係に従って、ＤＬ領域およびＵＬ領域の間、通信し得る。フレキシブルなサブフレームモジュール６１０は、図９および１０を参照して説明されるプロセッサ９１０または１０１０のような、プロセッサの態様であり得る。
【００７０】
[0078]送信機６１５は、例えば、ワイヤレスデバイス６００の他のコンポーネントから受信された信号を送信し得る。いくつかの例において、送信機６１５は、トランシーバモジュールにおいて受信機とコロケート（collocated）され得る。送信機６１５は、単一のアンテナを含み得るか、または、それは、複数のアンテナを含み得る。送信機６１５は、図９および１０を参照して説明されるトランシーバ９２５またはトランシーバ１０２５の態様を例示し得る。
【００７１】
[0079]図７は、本開示の様々な態様に従って、レイテンシの低減を伴うフレキシブルなＴＤＤサブフレーム構造をサポートするワイヤレスデバイス７００のブロック図を示す。ワイヤレスデバイス７００は、図１、２および６を参照して説明されるワイヤレスデバイス６００、ＵＥ１１５または基地局１０５の態様の例であり得る。ワイヤレスデバイス７００は、受信機７０５、フレキシブルなサブフレームモジュール７１０、および送信機７３０を含み得る。ワイヤレスデバイス７００はまた、プロセッサを含み得る。これらのコンポーネントの各々は、互いに通信状態にあり得る。ワイヤレスデバイス７００はまた、図９および１０を参照して説明されるＵＥ１１５−ｂまたは基地局１０５−ｃの例を表し得る。
【００７２】
[0080]受信機７０５は、デバイスの他のコンポーネントに伝えられ（be passed on to）得る情報を受信し得る。受信機７０５はまた、図６の受信機７０５を参照して説明される機能を行い得る。受信機７０５は、図９および１０を参照して説明されるトランシーバ９２５またはトランシーバ１０２５の態様を例示し得る。
【００７３】
[0081]フレキシブルなサブフレームモジュール７１０は、図６を参照して説明されるフレキシブルなサブフレームモジュール６１０の態様の例であり得る。フレキシブルなサブフレームモジュール７１０は、図９および１０を参照して説明されるプロセッサ９１０または１０１０のような、プロセッサの態様を例示し得る。フレキシブルなサブフレームモジュール７１０は、ＤＬ領域識別コンポーネント７１５、アップリンク領域識別コンポーネント７２０およびＤＬ領域通信コンポーネント７２５を含み得る。これらのコンポーネントの各々は、図９および１０を参照して説明されるプロセッサ９１０または１０１０のような、プロセッサの態様を例示し得る。
【００７４】
[0082]ＤＬ領域識別コンポーネント７１５は、サブフレームのＤＬ領域を識別し得、ここで、サブフレームは、ＤＬ領域、ＵＬ領域、ガード領域、および追加的な領域を含む。いくつかの事例において、ＤＬ領域とＵＬ領域との間のタイミング関係は、ワイヤレスデバイス７００の性能に基づき、それは、サブフレームの間、通信のためにスケジューリングされ得る。いくつかの事例において、ＤＬ領域とＵＬ領域との間のタイミング関係は、サブフレームの間、ワイヤレスデバイス７００との通信をスケジューリングするサービングセルに基づく。ＤＬ領域とＵＬ領域との間のタイミング関係は、システム情報ブロードキャストまたは無線リソース制御（ＲＲＣ）シグナリング、またはＤＬ制御メッセージにおけるリソースのグラント、あるいはそれらの任意の組合せを使用して識別され得る。
【００７５】
[0083]いくつかの事例において、ＤＬ領域とＵＬ領域との間のタイミング関係は、ＵＬ通信およびＤＬ通信に関して別々の領域を有するサブフレームに使用される最短時間持続時間を含み、ＤＬ領域の第１の持続時間およびＵＬ領域の第２の持続時間は、最短時間持続時間に基づき得る。サブフレームのガード領域の持続時間は、ＴＤＤ構成されたキャリアの特別なサブフレームのガード期間とは異なり得、それは、Ｕ’またはＤ’サブフレームおよび特別なサブフレームを含み得る。
【００７６】
[0084]いくつかの事例において、特別なサブフレームのガード期間は、システム内の、ＵＥのセットにおける各ＵＥ、それは、ワイヤレスデバイス７００を含み得る、の共通の性能に従って構成され、サブフレームのガード領域は、システム内のＵＥのセットのサブセットの異なる性能に従って構成され得る。いくつかの事例において、サブフレームのガード領域の持続時間は、ＤＬ領域の第２の持続時間および追加的な領域の第３の持続時間に対してのＵＬ領域の第１の持続時間に基づく。サブフレームに関するＤＬ  ＨＡＲＱまたはＵＬスケジューリングのタイミングは、サブフレームのガード領域の持続時間に基づき得る。いくつかの事例において、サブフレームに関するＤＬ  ＨＡＲＱまたはアップリンクスケジューリングのタイミング、あるいは両方は、後続のサブフレームまたは先行するサブフレームに関するＤＬ  ＨＡＲＱまたはアップリンクスケジューリングのタイミングとは異なる。
【００７７】
[0085]いくつかの事例において、ＤＬ領域とＵＬ領域との間のタイミング関係は、サブフレームの間、通信のためにスケジューリングされるＵＥ１１５の性能に基づく。または、いくつかの例において、ＤＬ領域とＵＬ領域との間のタイミング関係は、サブフレームの間、通信をスケジューリングするサービングセルに基づく。ＤＬ領域とＵＬ領域との間のタイミング関係は、ＳＩブロードキャストまたはＲＲＣシグナリング、あるいは両方を使用して、ワイヤレスデバイス７００によって識別され得る。いくつかの事例において、ＤＬ領域とＵＬ領域との間のタイミング関係は、ＵＬ通信およびＤＬ通信に関して別々の領域を有するサブフレームに使用される最短時間持続時間を含み、ここで、ＤＬ領域の第１の持続時間およびＵＬ領域の第２の持続時間は、最短時間持続時間に基づく。いくつかの事例において、サブフレームのガード領域の持続時間は、ＴＤＤ構成されたキャリアの特別なサブフレームのガード期間とは異なり、ここで、ＴＤＤ構成されたキャリアは、サブフレームおよび特別なサブフレームを含む。
【００７８】
[0086]アップリンク領域識別コンポーネント７２０は、サブフレームのアップリンク領域を識別し得、ここで、ＵＬ領域のリソース上での送信は、ＤＬ領域とＵＬ領域との間のタイミング関係に基づく。ＤＬ領域通信コンポーネント７２５は、タイミング関係に従って、ＤＬ領域およびＵＬ領域の間、通信し得る。
【００７９】
[0087]送信機７３０は、デバイスの他のコンポーネントから受信された信号を送信し得る。送信機７３０はまた、図６の送信機６１５に関連して説明される機能を行い得る。送信機７３０はまた、図９および１０に関連して説明されるトランシーバ９２５またはトランシーバ１０２５の態様を例示し得る。
【００８０】
[0088]図８は、ワイヤレスデバイス６００またはワイヤレスデバイス７００の対応するコンポーネントの例であり得るフレキシブルなサブフレームモジュール８００のブロック図を示す。つまり、フレキシブルなサブフレームモジュール８００は、図６および７を参照して説明されるフレキシブルなサブフレームモジュール６１０またはフレキシブルなサブフレームモジュール７１０の態様の例であり得る。フレキシブルなサブフレームモジュール８００はまた、図９および１０を参照して説明されるフレキシブルなサブフレームモジュール９０５またはフレキシブルなサブフレームモジュール１００５の例を表し得る。例として、フレキシブルなサブフレームモジュール８００は、図９および１０のプロセッサ９１０または１０１０の態様を例示し得る。
【００８１】
[0089]フレキシブルなサブフレームモジュール８００は、ダウンリンク領域識別コンポーネント８０５、アップリンク領域識別コンポーネント８１０、ダウンリンク領域通信コンポーネント８１５、追加的な領域識別コンポーネント８２０、ダウンリンク制御メッセージコンポーネント８２５、ダウンリンクデータコンポーネント８３０、アップリンク制御メッセージコンポーネント８３５、アップリンクデータコンポーネント８４０およびガード領域識別コンポーネント８４５を含み得る。これらコンポーネントの各々は、直接的にまたは間接的に、（例えば、１つまたは複数のバスを介して）互いに通信し得る。
【００８２】
[0090]ダウンリンク領域識別コンポーネント８０５は、サブフレームのＤＬ領域を識別し得、それは、ＤＬ領域、ＵＬ領域、ガード領域、および追加的な領域を含み得る。いくつかの事例において、ＤＬ領域とＵＬ領域との間のタイミング関係は、サブフレームの間、通信のためにスケジューリングされるＵＥ１１５の性能に基づく。いくつかの事例において、ＤＬ領域とＵＬ領域との間のタイミング関係は、サブフレームの間、通信をスケジューリングするサービングセルに基づく。ＤＬ領域とＵＬ領域との間のタイミング関係は、システム情報ブロードキャスト、無線リソース制御シグナリング、またはＤＬ制御メッセージにおけるリソースのグラント、あるいはそれらの任意の組合せを使用して識別され得る。いくつかの事例において、ＤＬ領域とＵＬ領域との間のタイミング関係は、アップリンク通信およびＤＬ通信に関して別々の領域を有するサブフレームに使用される最短時間持続時間を含み、ＤＬ領域の第１の持続時間およびＵＬ領域の第２の持続時間は、最短時間持続時間に基づく。
【００８３】
[0091]いくつかの事例において、サブフレームのガード領域の持続時間は、ＴＤＤ構成されたキャリアの特別なサブフレームのガード期間とは異なり、ここで、時分割複信構成されたキャリアは、サブフレームおよび特別なサブフレームを含む。いくつかの事例において、特別なサブフレームのガード期間は、システム内のＵＥ１１５のセットにおける各ＵＥ１１５の共通の性能に従って構成され、サブフレームのガード領域は、システム内のＵＥ１１５のセットのサブセットの異なる性能に従って構成され得る。いくつかの事例において、サブフレームのガード領域の持続時間は、ＤＬ領域の第２の持続時間および追加的な領域の第３の持続時間に対してのＵＬ領域の第１の持続時間に基づく。
【００８４】
[0092]サブフレームに関するＤＬ  ＨＡＲＱおよびＵＬスケジューリングのタイミングは、サブフレームのガード領域の持続時間に基づく。いくつかの事例において、サブフレームに関するＤＬ  ＨＡＲＱまたはＵＬスケジューリングのタイミング、あるいは両方は、後続のサブフレームまたは先行するサブフレームに関するＤＬ  ＨＡＲＱまたはＵＬスケジューリングのタイミングとは異なる。サブフレームのＤＬ領域。サブフレームは、ＤＬ領域、ＵＬ領域、ガード領域、および追加的な領域を含み得る。
【００８５】
[0093]いくつかの事例において、ＤＬ領域とＵＬ領域との間のタイミング関係は、サブフレームの間、通信のためにスケジューリングされるＵＥ１１５の性能に基づく。ＤＬ領域とＵＬ領域との間のタイミング関係は、サブフレームの間、通信をスケジューリングするサービングセルに基づき得る。いくつかの事例において、ＤＬ領域とＵＬ領域との間のタイミング関係は、ＳＩブロードキャスト、ＲＲＣシグナリング、またはＤＬ制御メッセージにおけるリソースのグラント、あるいはそれらの任意の組合せを使用して識別される。ＤＬ領域とＵＬ領域との間のタイミング関係は、ＵＬ通信およびＤＬ通信に関して別々の領域を有するサブフレームに使用される最短時間持続時間を含み得、ＤＬ領域の第１の持続時間およびＵＬ領域の第２の持続時間は、最短時間持続時間に基づき得る。
【００８６】
[0094]アップリンク領域識別コンポーネント８１０は、サブフレームのＵＬ領域を識別し得、ここで、ＵＬ領域のリソース上での送信は、ＤＬ領域とＵＬ領域との間のタイミング関係に基づく。ダウンリンク領域通信コンポーネント８１５は、タイミング関係に従って、ＤＬ領域およびＵＬ領域の間、通信し得る。タイミング関係に従った、ＤＬ領域およびＵＬ領域。
【００８７】
[0095]追加的な領域識別コンポーネント８２０は、サブフレームの追加的な領域を識別し得る。追加的な領域は、例えば、追加的なＤＬ領域または追加的なＵＬ領域を含み得る。追加的な領域のリソース上での送信は、ＤＬ領域またはＵＬ領域と追加的な領域との間のタイミング関係に基づき得る。
【００８８】
[0096]ダウンリンク制御メッセージコンポーネント８２５は、図９または１０のトランシーバ９２５または１０２５と組み合わせて、例えば、様々な信号またはメッセージを送信または受信し得る。例えば、ダウンリンク制御メッセージコンポーネント８２５は、ＤＬ領域の間、ＤＬ制御メッセージを送信し得、ＤＬ領域の間、ＤＬ制御メッセージを受信し得る。
【００８９】
[0097]ダウンリンクデータコンポーネント８３０は、図９または１０のトランシーバ９２５または１０２５と組み合わせて、例えば、様々な信号またはメッセージを送信または受信し得る。ダウンリンクデータコンポーネント８３０は、例えば、ＤＬ領域の間、ＤＬデータを受信し得、ここで、ＤＬ領域のリソースは、追加的な領域の間、ＤＬ制御メッセージによってスケジューリングされ、ＤＬデータを受信し、ここで、追加的な領域は、ＤＬ領域に続き、ＵＬ領域に先行する。追加的な領域は、追加的なＤＬ領域を含み得、それは、次に、ＤＬ制御メッセージによってスケジューリングされたリソースを含み得る。ダウンリンクデータコンポーネント８３０はまた、ＤＬ領域の間、ＤＬデータを受信し得、ここで、ＤＬデータは、ＤＬ領域および追加的なＤＬ領域のリソースにマッピングされた単一のトランスポートブロックを含む。
【００９０】
[0098]いくつかの例において、ダウンリンクデータコンポーネント８３０は、ＤＬ領域の間、ＤＬデータを送信し得、ここで、ＤＬ領域のリソースは、ＤＬ制御メッセージによってスケジューリングされ得る。ダウンリンクデータコンポーネント８３０はまた、追加的な領域の間、ＤＬデータを送信し得、ここで、追加的な領域は、ＤＬ領域に続き、ＵＬ領域に先行し、追加的な領域は、次に、ＤＬ制御メッセージによってスケジューリングされたリソースを含み得る追加的なＤＬ領域を含み得る。いくつかの例において、ダウンリンクデータコンポーネント８３０は、ＤＬ領域の間、ＤＬデータを送信し得、ここで、ＤＬデータは、ＤＬ領域および追加的なＤＬ領域のリソースにマッピングされた同じトランスポートブロックを含み得る。
【００９１】
[0099]アップリンク制御メッセージコンポーネント８３５は、図９または１０のトランシーバ９２５または１０２５と組み合わせて、例えば、様々な信号またはメッセージを送信または受信し得る。アップリンク制御メッセージコンポーネント８３５は、ＵＬ領域の間、ＵＬ制御メッセージを送信し得、ここで、ＵＬ制御メッセージは、同じサブフレームのＤＬ領域の間、受信されたＤＬデータに関するＡＣＫ情報を含み得る。アップリンク制御メッセージコンポーネント８３５はまた、後続のサブフレームの間、ＵＬ制御メッセージを送信し得、ここで、ＵＬ制御メッセージは、追加的なＤＬ領域の間、受信されたＤＬデータに関する肯定応答情報を含み得る。いくつかの事例において、アップリンク制御メッセージコンポーネント８３５は、ＵＬ領域の間、ＵＬ制御メッセージを受信し得、ここで、ＵＬ制御メッセージは、ＤＬ領域の間、受信されたＤＬデータに関するＡＣＫ情報を含み得る。アップリンク制御メッセージコンポーネント８３５はまた、後続のサブフレームの間、ＵＬ制御メッセージを受信し得、ここで、ＵＬ制御メッセージは、追加的なＤＬ領域の間、受信されたＤＬデータに関して、肯定応答情報を含む。
【００９２】
[0100]アップリンクデータコンポーネント８４０は、図９または１０のトランシーバ９２５または１０２５と組み合わせて、例えば、様々な信号またはメッセージを送信または受信し得る。アップリンクデータコンポーネント８４０は、ＵＬ領域の間、ＵＬデータまたはＵＬ制御メッセージ、あるいは両方を受信し得、ＵＬ領域のリソースは、ＤＬ制御メッセージによってスケジューリングされ得る。アップリンクデータコンポーネント８４０は、追加的な領域の間、ＵＬデータまたはＵＬ制御メッセージ、あるいは両方を、送信し得、ここで、追加的な領域は、ＤＬ領域に続き、ＵＬ領域に先行し、追加的な領域は、先行するサブフレームにおける別のＤＬ制御メッセージによってスケジューリングされたリソースを有する追加的なＵＬ領域を含み得る。いくつかの事例において、アップリンクデータコンポーネント８４０は、ＵＬ領域の間、ＵＬデータまたはＵＬ制御メッセージ、あるいは両方を受信し得る。いくつかの事例において、ＵＬ領域のリソースは、ＤＬ制御メッセージによってスケジューリングされ得る。いくつかの事例において、アップリンクデータコンポーネント８４０は、追加的な領域の間、ＵＬデータまたはＵＬ制御メッセージ、あるいは両方を受信し得る。これらの事例において、追加的な領域はＤＬ領域に続き得、ＵＬ領域に先行し得、追加的な領域は、先行するサブフレームにおける別のＤＬ制御メッセージによってスケジューリングされたリソースを有する追加的なＵＬ領域を含み得る。
【００９３】
[0101]ガード領域識別コンポーネント８４５は、サブフレームのガード領域を識別し得、ここで、ＤＬ領域とＵＬ領域との間のタイミング関係は、サブフレーム内のガード領域のロケーションまたはガード領域の持続時間、あるいは両方に基づく。
【００９４】
[0102]図９は、本開示の様々な態様に従って、レイテンシの低減を伴うフレキシブルなＴＤＤサブフレーム構造をサポートするＵＥを含む、システム９００の図を示す。例えば、システム９００は、図１、２および６から８を参照して説明されるように、ＵＥ１１５−ｂを含み得、それは、ワイヤレスデバイス６００、ワイヤレスデバイス７００、またはＵＥ１１５の例であり得る。
【００９５】
[0103]ＵＥ１１５−ｂはまた、フレキシブルなサブフレームモジュール９０５、プロセッサ９１０、メモリ９１５、トランシーバ９２５、アンテナ９３０および低レイテンシモジュール９３５を含み得る。これらのモジュールの各々は、直接的にまたは間接的に、互いに（例えば、１つまたは複数のバスを介して）通信し得る。フレキシブルなサブフレームモジュール９０５は、図６から８を参照して説明されるように、フレキシブルなサブフレームモジュールの例であり得る。
【００９６】
[0104]プロセッサ９１０は、インテリジェントハードウェアデバイス、（例えば、中央処理ユニット（ＣＰＵ）、マイクロコントローラ、特定用途向け集積回路（ＡＳＩＣ）など）を含み得る。メモリ９１５は、ランダムアクセスメモリ（ＲＡＭ）および読取専用メモリ（ＲＯＭ）を含み得る。メモリ９１５は、実行されると、プロセッサに、本明細書で説明された様々な機能（例えば、図６〜８に関連して説明されるような、レイテンシの低減を伴うフレキシブルなＴＤＤサブフレーム構造など）を行わせる命令を含む、コンピュータ読取り可能、コンピュータ実行可能ソフトウェアを記憶し得る。
【００９７】
[0105]いくつかの事例において、ソフトウェア９２０は、プロセッサによって直接的に実行可能でない可能性があるが、コンピュータに、（例えば、コンパイルおよび実行されたとき）ここで説明された機能を行わせ得る。
【００９８】
[0106]トランシーバ９２５は、上記で説明されたように、複数のネットワークと、複数のアンテナ、ワイヤード、またはワイヤレスリンクを介して、双方向に通信し得る。例えば、トランシーバ９２５は、基地局１０５またはＵＥ１１５と双方向に通信し得る。トランシーバ９２５はまた、パケットを変調し、および送信のためにアンテナに変調されたパケットを提供するための、ならびにアンテナから受信されたパケットを復調するためのモデムを含み得る。
【００９９】
[0107]いくつかの事例において、ワイヤレスデバイスは、単一のアンテナ９３０を含み得る。しかしながら、いくつかの事例において、デバイスは、１つより多くのアンテナ９３０を有し得、それは、複数のワイヤレス送信をコンカレントに（concurrently）送信または受信することが可能である。トランシーバ９２５およびアンテナ９３０は、図６〜８に関連して説明される様々なシグナリングまたはメッセージを送信または受信し得る。
【０１００】
[0108]低レイテンシモジュール９３５は、低減された送信時間間隔（ＴＴＩ）またはサブフレーム持続時間を使用して、または大きな数のコンポーネントキャリア（ＣＣ）を使用して、共有されたまたはアンライセンスのスペクトルを使用する通信のような、拡張されたコンポーネントキャリア（ｅＣＣ）を使用する動作を可能にし得る。いくつかの例において、低レイテンシモジュール９３５は、トランシーバ９２５およびアンテナ９３０と組み合わせて、低レイテンシ（例えば、Ｕ’またはＤ’）サブフレームを使用して、通信をサポートするためのＵＥ１１５−ｂの性能をシグナリングし得る。
【０１０１】
[0109]図１０は、本開示の様々な態様に従って、レイテンシの低減を伴うフレキシブルなＴＤＤサブフレーム構造をサポートする、構成された基地局を含むワイヤレスシステム１０００の図を示す。例えば、システム１０００は、基地局１０５−ｃを含み得、それは、図１、２、および６から８を参照して説明されるように、ワイヤレスデバイス６００、ワイヤレスデバイス７００、または基地局１０５の例であり得る。基地局１０５−ｃはまた、通信を送信するためのコンポーネントおよび通信を受信するためのコンポーネントを含む、双方向音声およびデータ通信のためのコンポーネントを含み得る。例えば、基地局１０５−ｃは、複数のＵＥ１１５と双方向に通信し得る。
【０１０２】
[0110]基地局１０５−ｃはまた、フレキシブルなサブフレームモジュール１００５、プロセッサ１０１０、メモリ１０１５、トランシーバ１０２５、アンテナ１０３０、基地局通信モジュール１０３５、およびネットワーク通信モジュール１０４０を含み得る。これらのモジュールの各々は、直接的にまたは間接的に、互いに（例えば、複数のバスを介して）通信し得る。フレキシブルなサブフレームモジュール１００５は、図６から８を参照して説明されるように、フレキシブルなサブフレームモジュールの例であり得る。プロセッサ１０１０は、インテリジェント・ハードウェア・デバイス、（例えば、ＣＰＵ、マイクロコントローラ、ＡＳＩＣなど）を含み得る。
【０１０３】
[0111]メモリ１０１５は、ＲＡＭおよびＲＯＭを含み得る。メモリ１０１５は、実行されると、プロセッサに、本明細書で説明された様々な機能（例えば、図６〜８に関連して説明されるような、レイテンシの低減を伴うフレキシブルなＴＤＤサブフレーム構造など）を行わせる命令を含む、コンピュータ読取り可能、コンピュータ実行可能ソフトウェアを記憶し得る。いくつかの事例において、ソフトウェア１０２０は、プロセッサによって直接的に実行可能でない可能性があるが、（例えば、コンパイルおよび実行されたとき、）コンピュータに、ここで説明された機能を行わせ得る。
【０１０４】
[0112]トランシーバ１０２５は、上記で説明されたように、複数のネットワークと、複数のアンテナ、ワイヤード、またはワイヤレスリンクを介して、双方向に通信し得る。例えば、トランシーバ１０２５は、基地局１０５またはＵＥ１１５と双方向に通信し得る。トランシーバ１０２５はまた、パケットを変調し、および送信のためにアンテナに変調されたパケットを提供するための、ならびにアンテナから受信されたパケットを復調するためのモデムを含み得る。いくつかの事例において、ワイヤレスデバイスは、単一のアンテナ１０３０を含み得る。しかしながら、いくつかの事例において、デバイスは、１つより多くのアンテナ１０３０を有し得、それは、複数のワイヤレス送信をコンカレントに送信または受信することが可能である。トランシーバ１０２５およびアンテナ１０３０は、図６〜８に関連して説明される様々なシグナリングまたはメッセージを送信または受信し得る。
【０１０５】
[0113]基地局通信モジュール１３２５は、他の基地局１０５との通信を管理し得、他の基地局１０５と協働して、ＵＥ１１５との通信を制御するためのコントローラまたはスケジューラを含み得る。例えば、基地局通信モジュール１０３５は、ビームフォーミングもしくはジョイント送信のような様々な干渉緩和技法のために、ＵＥ１１５への送信のためのスケジューリングを調整し（coordinate）得る。いくつかの例では、基地局通信モジュール１０３５は、基地局１０５の間での通信を提供するために、ＬＴＥ／ＬＴＥ−Ａワイヤレス通信ネットワーク技術内のＸ２インターフェースを提供し得る。
【０１０６】
[0114]ネットワーク通信モジュール１０４０は、（例えば、複数のワイヤードバックホールリンクを介して）コアネットワークとの通信を管理し得る。例えば、ネットワーク通信モジュール１０４０は、マルチプルＵＥ１１５のような、クライアントデバイスのデータ通信の転送を管理し得る。
【０１０７】
[0115]図１１は、本開示の様々な態様に従って、レイテンシの低減を伴うフレキシブルなＴＤＤサブフレーム構造をサポートする方法１１００を例示するフローチャートを表す。方法１１００の動作は、図１および２を参照して説明されるように、ＵＥ１１５または基地局１０５またはそれのコンポーネントによってインプリメントされ得る。例えば、方法１１００の動作は、ここで説明されるフレキシブルなサブフレームモジュールによって行われ得る。いくつかの例において、ＵＥ１１５または基地局１０５は、以下に説明される機能を行うためにデバイスの機能的要素を制御するためのコードのセットを実行し得る。追加的または代替的に、ＵＥ１１５または基地局１０５は、専用ハードウェアを使用して、以下で説明される機能の態様を行い得る。
【０１０８】
[0116]ブロック１１０５において、ＵＥ１１５または基地局１０５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１１０５の動作は、図８のダウンリンク領域識別コンポーネント８０５に関連して説明されるように、図９のトランシーバ９２５およびアンテナ９３０と組み合わせて、図９のフレキシブルなサブフレームモジュール９０５のコンポーネントによって行われる。他の例において、ブロック１１０５の動作は、図８のダウンリンク領域識別コンポーネント８０５に関連して説明されるように、図１０のトランシーバ１０２５とアンテナ１０３０と組み合わせて、図１０のフレキシブルなサブフレームモジュール１００５のコンポーネントによって行われる。
【０１０９】
[0117]ブロック１１１０において、ＵＥ１１５または基地局１０５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１１０５の動作は、図８のアップリンク領域識別コンポーネント８１０に関連して説明されるように、図９のトランシーバ９２５とアンテナ９３０と組み合わせて、図９のフレキシブルなサブフレームモジュール９０５のコンポーネントによって行われる。いくつかの例において、ブロック１１０５の動作は、図８のアップリンク領域識別コンポーネント８１０に関連して説明されるように、図１０のトランシーバ１０２５とアンテナ１０３０と組み合わせて、図１０のフレキシブルなサブフレームモジュール１００５のコンポーネントによって行われる。
【０１１０】
[0118]ブロック１１１５において、ＵＥ１１５または基地局１０５は、図２〜５を参照して上記で説明されるように、タイミング関係に従って、ＤＬ領域およびＵＬ領域の間、通信し得る。いくつかの例において、ブロック１１０５の動作は、図９のトランシーバ９２５およびアンテナ９３０によって行われる。他の例において、ブロック１１０５の動作は、図１０のトランシーバ１０２５およびアンテナ１０３０によって行われる。いくつかの事例において、ブロック１１０５の動作は、図８のダウンリンク領域通信コンポーネント８１５によって、時には、トランシーバおよびアンテナと組み合わせて、行われ得る。
【０１１１】
[0119]図１２は、本開示の様々な態様に従って、レイテンシの低減を伴うフレキシブルなＴＤＤサブフレーム構造をサポートする方法１２００を例示するフローチャートを表す。方法１２００の動作は、図１および２を参照して説明されるように、基地局１０５またはそれのコンポーネントによってインプリメントされ得る。例えば、方法１２００の動作は、ここに記載されるように、フレキシブルなサブフレームモジュールによって行われ得る。いくつかの例では、基地局１０５は、以下に説明される機能を行うためにデバイスの機能的要素を制御するためのコードのセットを実行し得る。追加的または代替的に、基地局１０５は、専用ハードウェアを使用して、以下で説明される機能の態様を行い得る。
【０１１２】
[0120]ブロック１２０５において、基地局１０５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１２０５の動作は、図８のダウンリンク領域識別コンポーネント８０５に関連して説明されるように、図１０のトランシーバ１０２５とアンテナ１０３０と組み合わせて、図１０のフレキシブルなサブフレームモジュール１００５のコンポーネントによって行われる。
【０１１３】
[0121]ブロック１２１０において、基地局１０５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１２１０の動作は、図８のアップリンク領域識別コンポーネント８１０に関連して説明されるように、図１０のトランシーバ１０２５とアンテナ１０３０と組み合わせて、図１０のフレキシブルなサブフレームモジュール１００５のコンポーネントによって行われる。
【０１１４】
[0122]ブロック１２１５において、基地局１０５は、図２〜５を参照して上記で説明されるように、タイミング関係に従って、ＤＬ領域およびＵＬ領域の間、通信し得る。ブロック１２２０において、基地局１０５は、図２〜５を参照して上記で説明されるように、ＤＬ領域の間、ＤＬ制御メッセージを送信し得る。いくつかの例において、ブロック１２１５および１２２０の動作は、図１０のトランシーバ１０２５およびアンテナ１０３０によって行われる。
【０１１５】
[0123]図１３は、本開示の様々な態様に従って、レイテンシの低減を伴うフレキシブルなＴＤＤサブフレーム構造をサポートする方法１３００を例示するフローチャートを表す。方法１３００の動作は、図１および２を参照して説明されるように、ＵＥ１１５またはそれのコンポーネントによってインプリメントされ得る。例えば、方法１３００の動作は、ここで説明されるフレキシブルなサブフレームモジュールによって行われ得る。いくつかの例では、ＵＥ１１５は、以下に説明される機能を行うためにデバイスの機能的要素を制御するためのコードのセットを実行し得る。追加的または代替的に、ＵＥ１１５は、専用ハードウェアを使用して、以下で説明される機能の態様を行い得る。
【０１１６】
[0124]ブロック１３０５において、ＵＥ１１５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１３０５の動作は、図８のダウンリンク領域識別コンポーネント８０５に関連して説明されるように、図９のトランシーバ９２５およびアンテナ９３０と組み合わせて、図９のフレキシブルなサブフレームモジュール９０５のコンポーネントによって行われる。
【０１１７】
[0125]ブロック１３１０において、ＵＥ１１５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１３１０の動作は、図８のアップリンク領域識別コンポーネント８１０に関連して説明されるように、図９のトランシーバ９２５とアンテナ９３０と組み合わせて、図９のフレキシブルなサブフレームモジュール９０５のコンポーネントによって行われる。
【０１１８】
[0126]ブロック１３１５において、ＵＥ１１５は、図２〜５を参照して上記で説明されるように、タイミング関係に従って、ＤＬ領域およびＵＬ領域の間、通信し得る。ブロック１３２０において、ＵＥ１１５は、図２〜５を参照して上記で説明されるように、ＤＬ領域の間、ＤＬ制御メッセージを受信し得る。いくつかの例において、ブロック１３１５および１３２０の動作は、図９のトランシーバ９２５およびアンテナ９３０によって行われる。
【０１１９】
[0127]図１４は、本開示の様々な態様に従って、レイテンシの低減を伴うフレキシブルなＴＤＤサブフレーム構造をサポートする方法１４００を例示するフローチャートを示す。方法１４００の動作は、図１および２を参照して説明されるように、ＵＥ１１５またはそのコンポーネントによってインプリメントされ得る。例えば、方法１４００の動作は、ここで説明されるフレキシブルなサブフレームモジュールによって行われ得る。いくつかの例では、ＵＥ１１５は、以下に説明される機能を行うためにデバイスの機能的要素を制御するためのコードのセットを実行し得る。追加的または代替的に、ＵＥ１１５は、専用ハードウェアを使用して、以下で説明される機能の態様を行い得る。
【０１２０】
[0128]ブロック１４０５において、ＵＥ１１５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１４０５の動作は、図８のダウンリンク領域識別コンポーネント８０５に関連して説明されるように、図９のトランシーバ９２５およびアンテナ９３０と組み合わせて、図９のフレキシブルなサブフレームモジュール９０５のコンポーネントによって行われる。
【０１２１】
[0129]ブロック１４１０において、ＵＥ１１５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１４１０の動作は、図８のアップリンク領域識別コンポーネント８１０に関連して説明されるように、図９のトランシーバ９２５とアンテナ９３０と組み合わせて、図９のフレキシブルなサブフレームモジュール９０５のコンポーネントによって行われる。
【０１２２】
[0130]ブロック１４１５において、ＵＥ１１５は、図２〜５を参照して上記で説明されるように、タイミング関係に従って、ＤＬ領域およびＵＬ領域の間、通信し得る。ブロック１４２０において、ＵＥ１１５は、図２〜５を参照して上記で説明されるように、ＤＬ領域の間、ＤＬ制御メッセージを受信し得る。いくつかの例において、ブロック１４１５および１４２０の動作は、図９のトランシーバ９２５およびアンテナ９３０によって行われる。
【０１２３】
[0131]ブロック１４２５において、ＵＥ１１５は、ＤＬ領域の間、ＤＬデータを受信し得、ここで、ＤＬ領域のリソースは、図２〜５を参照して上記で説明されるように、ＤＬ制御メッセージによってスケジューリングされる。いくつかの例において、ブロック１４２５の動作は、図９のトランシーバ９２５およびアンテナ９３０によって行われる。
【０１２４】
[0132]図１５は、本開示の様々な態様に従って、レイテンシの低減を伴うフレキシブルなＴＤＤサブフレーム構造をサポートする方法１５００を例示するフローチャートを表す。方法１５００の動作は、図１および２を参照して説明されるように、ＵＥ１１５またはそれのコンポーネントによってインプリメントされ得る。例えば、方法１５００の動作は、ここで説明されるフレキシブルなサブフレームモジュールによって行われ得る。いくつかの例では、ＵＥ１１５は、以下に説明される機能を行うためにデバイスの機能的要素を制御するためのコードのセットを実行し得る。追加的または代替的に、ＵＥ１１５は、専用ハードウェアを使用して、以下で説明される機能の態様を行い得る。
【０１２５】
[0133]ブロック１５０５において、ＵＥ１１５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１５０５の動作は、図８のダウンリンク領域識別コンポーネント８０５に関連して説明されるように、図９のトランシーバ９２５およびアンテナ９３０と組み合わせて、図９のフレキシブルなサブフレームモジュール９０５のコンポーネントによって行われる。
【０１２６】
[0134]ブロック１５１０において、ＵＥ１１５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１５１０の動作は、図８のアップリンク領域識別コンポーネント８１０に関連して説明されるように、図９のトランシーバ９２５とアンテナ９３０と組み合わせて、図９のフレキシブルなサブフレームモジュール９０５のコンポーネントによって行われる。
【０１２７】
[0135]ブロック１５１５において、ＵＥ１１５は、図２〜５を参照して上記で説明されるように、タイミング関係に従って、ＤＬ領域およびＵＬ領域の間、通信し得る。ブロック１５２０において、ＵＥ１１５は、図２〜５を参照して上記で説明されるように、ＤＬ領域の間、ＤＬ制御メッセージを受信し得る。いくつかの例において、ブロック１５１５および１５２０の動作は、図９のトランシーバ９２５およびアンテナ９３０によって行われる。
【０１２８】
[0136]ブロック１５２５において、ＵＥ１１５は、追加的な領域の間、ＤＬデータを受信し得、ここで、図２〜５を参照して上記で説明されるように、追加的な領域は、ＤＬ領域に続き、ＵＬ領域に先行し、追加的な領域は、ＤＬ制御メッセージによってスケジューリングされたリソースを含む追加的なＤＬ領域を含む。いくつかの例において、ブロック１５２５の動作は、図９のトランシーバ９２５およびアンテナ９３０によって行われる。
【０１２９】
[0137]図１６は、本開示の様々な態様に従って、レイテンシの低減を伴うフレキシブルなＴＤＤサブフレーム構造をサポートする方法１６００を例示するフローチャートを表す。方法１６００の動作は、図１および２を参照して説明されるように、基地局１０５またはそれのコンポーネントによってインプリメントされ得る。例えば、方法１６００の動作は、ここに記載されるように、フレキシブルなサブフレームモジュールによって行われ得る。いくつかの例では、基地局１０５は、以下に説明される機能を行うためにデバイスの機能的要素を制御するためのコードのセットを実行し得る。追加的または代替的に、基地局１０５は、専用ハードウェアを使用して、以下で説明される機能の態様を行い得る。
【０１３０】
[0138]ブロック１６０５において、基地局１０５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１６０５の動作は、図８のダウンリンク領域識別コンポーネント８０５に関連して説明されるように、図１０のトランシーバ１０２５とアンテナ１０３０と組み合わせて、図１０のフレキシブルなサブフレームモジュール１００５のコンポーネントによって行われる。
【０１３１】
[0139]ブロック１６１０において、基地局１０５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１６１０の動作は、図８のアップリンク領域識別コンポーネント８１０に関連して説明されるように、図１０のトランシーバ１０２５とアンテナ１０３０と組み合わせて、図１０のフレキシブルなサブフレームモジュール１００５のコンポーネントによって行われる。
【０１３２】
[0140]ブロック１６１５において、基地局１０５は、図２〜５を参照して上記で説明されるように、タイミング関係に従って、ＤＬ領域およびＵＬ領域の間、通信し得る。ブロック１６２０において、基地局１０５は、図２〜５を参照して上記で説明されるように、ＤＬ領域の間、ＤＬ制御メッセージを送信し得る。いくつかの例において、ブロック１６１５および１６２０の動作は、図１０のトランシーバ１０２５およびアンテナ１０３０によって行われる。
【０１３３】
[0141]ブロック１６２５において、基地局１０５は、ＤＬ領域の間、ＤＬデータを送信し得、ここで、ＤＬ領域のリソースは、図２〜５を参照して上記で説明されるように、ＤＬ制御メッセージによってスケジューリングされる。いくつかの例において、ブロック１６２５の動作は、図１０のトランシーバ１０２５およびアンテナ１０３０によって行われる。
【０１３４】
[0142]図１７は、本開示の様々な態様に従って、レイテンシの低減を伴うフレキシブルなＴＤＤサブフレーム構造をサポートする方法１７００を例示するフローチャートを示す。方法１７００の動作は、図１および２を参照して説明されるように、基地局１０５またはそれのコンポーネントによってインプリメントされ得る。例えば、方法１７００の動作は、ここに記載されるように、フレキシブルなサブフレームモジュールによって行われ得る。いくつかの例では、基地局１０５は以下に説明される機能を行うためにデバイスの機能的要素を制御するためのコードのセットを実行し得る。追加的または代替的に、基地局１０５は、専用ハードウェアを使用して、以下で説明される機能の態様を行い得る。
【０１３５】
[0143]ブロック１７０５において、基地局１０５は、サブフレームのＤＬ領域を識別し得、ここで、サブフレームは、図２〜５を参照して上記で説明されるように、ＤＬ領域、ＵＬ領域、ガード領域、および追加的な領域を含む。いくつかの例において、ブロック１７０５の動作は、図８のダウンリンク領域識別コンポーネント８０５に関連して説明されるように、図１０のトランシーバ１０２５とアンテナ１０３０と組み合わせて、図１０のフレキシブルなサブフレームモジュール１００５のコンポーネントによって行われる。
【０１３６】
[0144]ブロック１７１０において、基地局１０５は、サブフレームのＵＬ領域を識別し得、ここで、ＵＬ領域のリソース上での送信は、図２〜５を参照して上記で説明されるように、ＤＬ領域とＵＬ領域との間のタイミング関係に基づく。いくつかの例において、ブロック１７１０の動作は、図８のアップリンク領域識別コンポーネント８１０に関連して説明されるように、図１０のトランシーバ１０２５とアンテナ１０３０と組み合わせて、図１０のフレキシブルなサブフレームモジュール１００５のコンポーネントによって行われる。
【０１３７】
[0145]ブロック１７１５において、基地局１０５は、図２〜５を参照して上記で説明されるように、タイミング関係に従って、ＤＬ領域およびＵＬ領域の間、通信し得る。ブロック１７２０において、基地局１０５は、図２〜５を参照して上記で説明されるように、ＤＬ領域の間、ＤＬ制御メッセージを送信し得る。いくつかの例において、ブロック１７１５および１７２０の動作は、図１０のトランシーバ１０２５およびアンテナ１０３０によって行われる。
【０１３８】
[0146]ブロック１７２５において、基地局１０５は、追加的な領域の間、ＤＬデータを送信し得、ここで、追加的な領域は、ＤＬ領域に続き、ＵＬ領域に先行し、ここで、追加的な領域は、図２〜５を参照して上記で説明されるように、ＤＬ制御メッセージによってスケジューリングされたリソースを含む追加的なＤＬ領域を含む。いくつかの例において、ブロック１７２５の動作は、図１０のトランシーバ１０２５およびアンテナ１０３０によって行われる。
【０１３９】
[0147]方法１１００、１２００、１３００、１４００、１５００、１６００、および１７００の各々は、本明細書で説明された技法の例を表し得るが、それらは、唯一のインプリメンテーションではない。例えば、方法１１００、１２００、１３００、１４００、１５００、１６００、および１７００の各々の態様は、その他の方法のステップまたは態様、または図２〜５を参照して本明細書に説明される他のステップまたは技法を含み得る。よって、本開示の態様は、レイテンシの低減を伴うフレキシブルなＴＤＤサブフレーム構造を提供し得る。これらの方法は、可能なインプリメンテーションを説明しており、動作およびステップは、他のインプリメンテーションが可能になるように、再配列またはそうでない場合は修正され得ることに留意されたい。いくつかの例において、それら方法のうちの２つ以上からの態様が組み合され得る。
【０１４０】
[0148]ここに説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに対して使用され得る。「システム」および「ネットワーク」という用語は、しばしば交換可能に用いられる。ＣＤＭＡシステムは、ＣＤＭＡ２０００、ユニバーサル地上無線アクセス（ＵＴＲＡ）、などのような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００１Ｘ、１Ｘ、などと呼ばれる。ＩＳ−８５６（ＴＩＡ−８５６）は、一般に、ＣＤＭＡ２０００ １ｘＥＶ−ＤＯ、高速パケットデータ（ＨＲＰＤ）、などと呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントし得る。
【０１４１】
[0149]ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（wireless fidelity(Ｗｉ−Ｆｉ)）、ＩＥＥＥ８０２．１６（ＷｉＭＡＸ）、ＩＥＥＥ８０２．２０、周波数分割多重化（ＦＤＭ）など、のような無線技術をインプリメントし得る。ＵＴＲＡおよびＥ−ＵＴＲＡは、ユニバーサルモバイル電気通信システム（ＵＭＴＳ：Universal Mobile Telecommunications System）の一部である。３ＧＰＰ（登録商標）ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体による文書中で説明されている。ＣＤＭＡ２０００およびＵＭＢは、「第３世代パートナーシッププロジェクト２」（３ＧＰＰ２）という名称の団体からの文書に記載されている。ここで説明された技法は、上述されたシステムおよび無線技術、ならびに他のシステムおよび無線技術のために使用され得る。しかしながら、本明細書における説明は、例の目的でＬＴＥシステムを説明しており、ＬＴＥ専門用語が上記の説明のほとんどにおいて使用されているが、その技法はＬＴＥアプリケーションを超えて適用可能である。
【０１４２】
[0150]ここで説明されたこのようなネットワークを含む、ＬＴＥ／ＬＴＥ−Ａネットワークにおいて、ｅＮＢという用語は、一般に、基地局を説明するために使用され得る。ここに説明された１つまたは複数のワイヤレス通信システムは、異なるタイプのｅＮＢが様々な地理的領域に対してカバレッジを提供する異種ＬＴＥ／ＬＴＥ−Ａネットワークを含み得る。例えば、各ｅＮＢまたは基地局は、マクロセル、スモールセル、または他のタイプのセルに対して通信カバレッジを提供し得る。「セル」という用語は、コンテキストに依存して、基地局、基地局に関連付けられたキャリアまたはＣＣ、あるいはキャリアまたは基地局のカバレッジエリア（例えば、セクタなど）を説明するために使用されることができる３ＧＰＰ用語である。
【０１４３】
[0151]基地局は、ベーストランシーバ局、無線基地局、アクセスポイント（ＡＰ）、無線トランシーバ、ノードＢ、ｅノードＢ（ｅＮＢ）、ホームノードＢ、ホームｅノードＢ、または何らかの他の適した専門用語で当業者によって呼ばれ得るか、あるいはそれらを含み得る。基地局に対する地理的カバレッジエリアは、カバレッジエリアの一部分を構成するセクタへと分割され得る。ここで説明された１つまたは複数のワイヤレス通信のシステムは、異なるタイプの基地局（例えば、マクロまたはスモールセル基地局）を含み得る。ここで説明されたＵＥ１１５は、マクロｅＮＢ、スモールセルｅＮＢ、リレー基地局、および同様のものを含む様々なタイプの基地局およびネットワーク機器と通信することが可能であり得る。異なる技術について重複する地理的なカバレッジエリアがある可能性がある。
【０１４４】
[0152]マクロセルは、一般に、比較的大きい地理的エリア（例えば、半径数キロメートル）をカバーし、ネットワーク・プロバイダにサービス加入しているＵＥ１１５による無制限のアクセスを可能にし得る。スモールセルは、マクロセルと同じまたは異なる（例えば、ライセンスの、アンライセンスの、などの）周波数帯域で動作し得る、マクロセルと比較してより低い動力で動かされる（lower-powered）基地局である。スモールセルは、様々な例に従って、ピコセル、フェムトセル、およびマイクロセルを含み得る。例えば、ピコセルは、小さい地理的エリアをカバーし得、ネットワーク・プロバイダにサービス加入しているＵＥ１１５による無制限アクセスを可能にし得る。フェムトセルもまた、小さい地理的エリア（例えば、家）をカバーし、フェムトセルとの関連付けを有するＵＥ１１５（例えば、クローズド加入者グループ（ＣＳＧ）中のＵＥ１１５、家の中にいるユーザのためのＵＥ１１５、および同様のもの）による制限されたアクセスを提供し得る。マクロセルに関わるｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つなど）のセル（例えば、ＣＣ）をサポートし得る。ＵＥは、マクロｅＮＢ、スモールセルｅＮＢ、中継基地局などを含む様々なタイプの基地局およびネットワーク機器と通信することが可能であり得る。
【０１４５】
[0153]本明細書で説明された１つまたは複数のワイヤレス通信システムは、同期または非同期動作をサポートし得る。同期動作の場合、基地局は、同様のフレームタイミングを有し得、異なる基地局からの送信は、時間的におよそ揃えられ得る（approximately aligned in time）。非同期動作の場合、複数の基地局は、異なるフレームタイミングを有し得、異なる基地局からの送信は、時間的に揃えられない可能性がある。ここで説明された技法は、同期動作または非同期動作のいずれかのために使用され得る。
【０１４６】
[0154]ここで説明されたＤＬ送信はまた、順方向リンク送信と呼ばれ得、一方、ＵＬ送信はまた、逆方向リンク送信と呼ばれ得る。例えば、図１および図２のワイヤレス通信システム１００および２００を含む、ここで説明された各通信リンクは、複数のキャリアを含み得、ここで、各キャリアは、複数のサブキャリア（例えば、異なる周波数の波形信号）から構成される信号であり得る。変調された各信号は、異なるサブキャリア上で送られ得、制御情報（例えば、基準信号、制御チャネル、など）、オーバヘッド情報、ユーザデータ、などを搬送し得る。ここで説明された通信リンク（例えば、図１の通信リンク１２５）は、（例えば、ペアのスペクトルリソース（paired spectrum resources）を使用する）周波数分割複信（ＦＤＤ）、または（例えば、ペアではないスペクトルリソース（unpaired spectrum resources）を使用する）時分割複信（ＴＤＤ）動作を使用して双方向通信を送信し得る。フレーム構造が、ＦＤＤ（例えば、フレーム構造タイプ１）およびＴＤＤ（例えば、フレーム構造タイプ２）のために定義され得る。
【０１４７】
[0155]当業者に知られているか、または後に知られることとなる、本開示全体を通じて説明された様々な態様の要素に対する全ての構造的および機能的な同等物は、参照によってここに明確に組み込まれ、特許請求の範囲によって包含されるように意図される。その上、本明細書のどの開示も、そのような開示が特許請求の範囲中に明示的に記載されているかどうかにかかわらず、公に献呈されるようには意図されていない。「モジュール」、「機構」、「要素」、「デバイス」、「コンポーネント」、などという言葉は、「手段」という言葉の代替ではない可能性がある。そのため、どのクレーム要素も、該要素が「ための手段」というフレーズを使用して明示的に記載されていない限り、ミーンズプラスファンクションとして解釈されるべきではない。
【０１４８】
[0156]本明細書で説明されるシステム、デバイス、およびコンポーネントは、個々にまたは集合的に、ハードウェアにおいて適用可能な機能のうちのいくつかまたは全てを行うように適合された少なくとも１つのＡＳＩＣを用いてインプリメントされ得る。代替的に、機能は、少なくとも１つのＩＣ上で、複数の他の処理ユニット（または、コア）によって行われ得る。他の例において、他のタイプの集積回路（例えば、ストラクチャード／プラットフォームＡＳＩＣ、ＦＰＧＡ、または別のセミカスタムＩＣ）が使用され得、それらは、当該技術において知られている任意の方式でプログラムされ得る。各ユニットの機能はまた、全体的にまたは部分的に、メモリにおいて具現化された命令でインプリメントされ得、複数の汎用または特定用途向けのプロセッサによって実行されるようにフォーマットされ得る。
【図１】
2018530217.tif 000004
【図２】
2018530217.tif 000005
【図３】
2018530217.tif 000006
【図４】
2018530217.tif 000007
【図５】
2018530217.tif 000008
【図６】
2018530217.tif 000009
【図７】
2018530217.tif 000010
【図８】
2018530217.tif 000011
【図９】
2018530217.tif 000012
【図１０】
2018530217.tif 000013
【図１１】
2018530217.tif 000014
【図１２】
2018530217.tif 000015
【図１３】
2018530217.tif 000016
【図１４】
2018530217.tif 000017
【図１５】
2018530217.tif 000018
【図１６】
2018530217.tif 000019
【図１７】
2018530217.tif 000020
【国際調査報告】
2018530217.tif 000021
2018530217.tif 000022
2018530217.tif 000023